(57)【要約】【課題】印刷機の色材に合わせた色材使用量と画像形成装置の色材に合わせた色材使用量との対応関係を規定した一つのＬＵＴ（ルックアップテーブル）で入力色空間の領域毎にユーザーが意図する色再現目標を実現する。【解決手段】印刷機（３００）で印刷物３５０の形成に使用される第一の色材ＣＬ１の使用量と、画像形成装置（１００）で色再現画像１６０の形成に使用される第二の色材ＣＬ２の使用量と、の対応関係を規定したＬＵＴ２００を生成する際、第一の色材ＣＬ１の色で表される入力色空間に含まれる第一の領域Ｒ１について第一の出力特性を示すように両色材ＣＬ１，ＣＬ２の使用量の対応関係を規定した第一のＬＵＴ２４１と、前記入力色空間に含まれる第二の領域Ｒ２について第一の出力特性とは異なる第二の出力特性を示すように両色材ＣＬ１，ＣＬ２の使用量の対応関係を規定した第二のＬＵＴ２４２と、を少なくとも合成してＬＵＴ２００を生成する。【選択図】図３
2015115737.tif 000002
【特許請求の範囲】
【請求項１】
印刷機で印刷物の形成に使用される第一の色材の使用量と、画像形成装置で色再現画像の形成に使用される第二の色材の使用量と、の対応関係を規定したルックアップテーブルであって、前記第一の色材の色で表される入力色空間に含まれる第一の領域について第一の出力特性を示すように前記対応関係が規定され、前記入力色空間に含まれ前記第一の領域とは異なる第二の領域について前記第一の出力特性とは異なる第二の出力特性を示すように前記対応関係が規定されたルックアップテーブルを記憶する記憶部と、
前記ルックアップテーブルを参照して色変換を行う色変換部と、を備えた色変換装置。
【請求項２】
前記入力色空間に含まれる領域について示される出力特性は、所定の観察光源における前記第一の色材の色彩値と前記第二の色材の色彩値との色差、前記色再現画像の粒状性を表す指標値、前記色再現画像の階調性を表す指標値、の少なくとも一つで表される、請求項１に記載の色変換装置。
【請求項３】
前記第一の出力特性は、第一の観察光源における前記第一の色材の色彩値と前記第二の色材の色彩値との色差が第一の範囲内となる出力特性を含み、
前記第二の出力特性は、前記第一の観察光源とは異なる第二の観察光源における前記第一の色材の色彩値と前記第二の色材の色彩値との色差が第二の範囲内となる出力特性を含む、請求項１又は請求項２に記載の色変換装置。
【請求項４】
前記第一の出力特性は、前記色再現画像の粒状性を表す指標値が第三の範囲内となる出力特性を含み、
前記第二の出力特性は、前記色再現画像の粒状性を表す指標値が前記第三の範囲外となる出力特性を含む、請求項１〜請求項３のいずれか一項に記載の色変換装置。
【請求項５】
印刷機で印刷物の形成に使用される第一の色材の使用量と、画像形成装置で色再現画像の形成に使用される第二の色材の使用量と、の対応関係を規定したルックアップテーブルを生成するルックアップテーブル生成方法であって、
前記第一の色材の色で表される入力色空間に含まれる第一の領域について第一の出力特性を示すように前記第一及び第二の色材の使用量の対応関係を規定した第一のルックアップテーブルと、前記入力色空間に含まれる第二の領域について前記第一の出力特性とは異なる第二の出力特性を示すように前記第一及び第二の色材の使用量の対応関係を規定した第二のルックアップテーブルと、を少なくとも合成して前記ルックアップテーブルを生成する、ルックアップテーブル生成方法。
【請求項６】
前記入力色空間に含まれる各領域に対応した出力特性を示すように前記第一及び第二の色材の使用量の対応関係を規定した部分ルックアップテーブル群の中から選択された部分ルックアップテーブルを前記第一及び第二のルックアップテーブルの少なくとも一方として少なくとも合成して前記ルックアップテーブルを生成する、請求項５に記載のルックアップテーブル生成方法。
【請求項７】
前記入力色空間に含まれる領域と出力特性との各組合せについて該組合せに対応した出力特性を示すように前記第一及び第二の色材の使用量の対応関係を規定した部分ルックアップテーブル群の中から選択された部分ルックアップテーブルを前記第一及び第二のルックアップテーブルの少なくとも一方として少なくとも合成して前記ルックアップテーブルを生成する、請求項５又は請求項６に記載のルックアップテーブル生成方法。
【請求項８】
前記入力色空間に含まれる領域、及び、該領域に対応付ける出力特性を選択する入力を受け付け、該受け付けた領域について前記受け付けた出力特性を示すように前記第一及び第二の色材の使用量の対応関係を規定した部分ルックアップテーブルを前記部分ルックアップテーブル群の中から選択し、該選択した部分ルックアップテーブルを少なくとも合成して前記ルックアップテーブルを生成する、請求項６又は請求項７に記載のルックアップテーブル生成方法。
【請求項９】
重複部分のある前記第一及び第二の領域について前記第一の領域の優先度が前記第二の領域の優先度よりも高く設定され、
前記第一及び第二のルックアップテーブルを少なくとも合成するとき、前記重複部分について前記第一の出力特性を示すように前記第一及び第二の色材の使用量の対応関係を規定した前記ルックアップテーブルを生成する、請求項５〜請求項８のいずれか一項に記載のルックアップテーブル生成方法。
【請求項１０】
前記入力色空間の中で前記第一及び第二の領域の少なくとも一方の領域の境界部分に規定される前記第二の色材の使用量をスムージングする、請求項５〜請求項９のいずれか一項に記載のルックアップテーブル生成方法。
【請求項１１】
前記入力色空間に含まれる領域について示される出力特性は、所定の観察光源における前記第一の色材の色彩値と前記第二の色材の色彩値との色差、前記色再現画像の粒状性を表す指標値、前記色再現画像の階調性を表す指標値、の少なくとも一つで表される、請求項５〜請求項１０のいずれか一項に記載のルックアップテーブル生成方法。
【請求項１２】
印刷機で印刷物の形成に使用される第一の色材の使用量と、画像形成装置で色再現画像の形成に使用される第二の色材の使用量と、の対応関係を規定したルックアップテーブルを生成するルックアップテーブル生成装置であって、
前記第一の色材の色で表される入力色空間に含まれる第一の領域について第一の出力特性を示すように前記第一及び第二の色材の使用量の対応関係を規定した第一のルックアップテーブルと、前記入力色空間に含まれる第二の領域について前記第一の出力特性とは異なる第二の出力特性を示すように前記第一及び第二の色材の使用量の対応関係を規定した第二のルックアップテーブルと、を少なくとも合成して前記ルックアップテーブルを生成する、ルックアップテーブル生成装置。
【発明の詳細な説明】
【技術分野】
【０００１】
本発明は、色変換装置、ルックアップテーブル生成方法、及び、ルックアップテーブル生成装置に関する。
【背景技術】
【０００２】
印刷本機を使用する前に印刷本機で形成される印刷物の色味等を確認するため、印刷プルーフ機でプルーフを形成して確認することが行われている。印刷本機にオフセット印刷機やグラビア印刷機を用いる場合、ＣＭＹＫ（シアン、マゼンタ、イエロー、ブラック）といった４種類の色材で印刷物が形成されている。
【０００３】
なお、特許文献１には、色再現性といった画質要素の最適化を目標に、ルックアップテーブルの格子点のインク量を最適化する技術が開示されている。
特許文献２には、スキャナーの機器特性に依存したＲＧＢ（赤、緑、青）色空間の色データをＣＭＹＫｌｃｌｍ（シアン、マゼンタ、イエロー、ブラック、ライトシアン、ライトマゼンタ）インクのインク量ｄc，ｄm，ｄy，ｄk，ｄlc，ｄlmに変換する色変換ＬＵＴ（ルックアップテーブル）を生成する技術が開示されている。同文献は、ＬＵＴを生成する際にメタメリックマッチングを実現するためのインク量の最適化方法を開示している。
【先行技術文献】
【特許文献】
【０００４】
【特許文献１】特表２００７−５１６６６３号公報
【特許文献２】特開２００９−２００８２０号公報
【発明の概要】
【発明が解決しようとする課題】
【０００５】
印刷本機や印刷プルーフ機には、ユーザーに応じて様々な使用場面が考えられる。従って、印刷プルーフ機には、ユーザーの意図に応じた高画質の色再現画像が求められる。
【０００６】
特許文献１に記載の技術は、色彩値への対応が明確なｓＲＧＢ色空間やＬ*ａ*ｂ*色空間といった３次元色空間で定義された入力画像を想定しており、印刷本機で印刷物の形成に使用される色材のＣＭＹＫの４次元色空間といったデバイス依存の色空間の入力画像を対象としていない。従って、この技術は、ＣＭＹＫ画像といった入力画像の特徴を把握したうえでユーザーの意図に応じた画質を確立する仕組みになっていない。
特許文献２に記載の技術は、スキャナーの機器特性に依存したＲＧＢ色空間という３次元色空間で定義された入力画像を想定しており、上記同様、印刷本機で印刷物の形成に使用される色材のＣＭＹＫの４次元色空間といったデバイス依存の色空間の入力画像を対象としていない。従って、ＣＭＹＫ画像といった入力画像の特徴を把握したうえでユーザーの意図に応じたメタメリックマッチング目標を実現する仕組みになっていない。
【０００７】
また、色再現画像に含まれる肌色については見た目を重視し、グレイについては所定の観察光源下のメタメリックマッチングを重視するといった、色空間内の領域毎にユーザーの意図に応じた色再現画像が得られると、色再現画像の高画質化に繋がる。
【０００８】
なお、上記のような問題は、オフセット印刷機及びグラビア印刷機のためのＬＵＴを生成する技術に限らず、種々の技術についても同様に存在する。
【０００９】
以上を鑑み、本発明の目的の一つは、印刷機の色材に合わせた色材使用量と画像形成装置の色材に合わせた色材使用量との対応関係を規定した一つのルックアップテーブルで入力色空間の領域毎にユーザーが意図する色再現目標を実現することにある。
【課題を解決するための手段】
【００１０】
上記目的の一つを達成するため、本発明の色変換装置は、印刷機で印刷物の形成に使用される第一の色材の使用量と、画像形成装置で色再現画像の形成に使用される第二の色材の使用量と、の対応関係を規定したルックアップテーブルであって、前記第一の色材の色で表される入力色空間に含まれる第一の領域について第一の出力特性を示すように前記対応関係が規定され、前記入力色空間に含まれ前記第一の領域とは異なる第二の領域について前記第一の出力特性とは異なる第二の出力特性を示すように前記対応関係が規定されたルックアップテーブルを記憶する記憶部と、
前記ルックアップテーブルを参照して色変換を行う色変換部と、を備えた態様を有する。
【００１１】
すなわち、記憶部に記憶されるルックアップテーブルは、印刷機で使用される第一の色材の使用量と画像形成装置で使用される第二の色材の使用量との対応関係が規定されている。この一つのルックアップテーブルに、入力色空間内の第一の領域については第一の出力特性を示すように対応関係が規定され、入力色空間内の異なる第二の領域については第一の出力特性とは異なる第二の出力特性を示すように対応関係が規定されている。このルックアップテーブルが参照されて色変換が行われる。従って、上記態様は、印刷機の色材に合わせた色材使用量と画像形成装置の色材に合わせた色材使用量との対応関係を規定した一つのルックアップテーブルで入力色空間の領域毎にユーザーが意図する色再現目標を実現することが可能となる。
【００１２】
また、本発明は、印刷機で印刷物の形成に使用される第一の色材の使用量と、画像形成装置で色再現画像の形成に使用される第二の色材の使用量と、の対応関係を規定したルックアップテーブルを生成するルックアップテーブル生成方法であって、
前記第一の色材の色で表される入力色空間に含まれる第一の領域について第一の出力特性を示すように前記第一及び第二の色材の使用量の対応関係を規定した第一のルックアップテーブルと、前記入力色空間に含まれる第二の領域について前記第一の出力特性とは異なる第二の出力特性を示すように前記第一及び第二の色材の使用量の対応関係を規定した第二のルックアップテーブルと、を少なくとも合成して前記ルックアップテーブルを生成する、態様を有する。
【００１３】
すなわち、生成されるルックアップテーブルは、印刷機で使用される第一の色材の使用量と画像形成装置で使用される第二の色材の使用量との対応関係が規定される。この一つのルックアップテーブルに、入力色空間内の第一の領域については第一の出力特性を示すように対応関係が規定され、入力色空間内の第二の領域については第一の出力特性とは異なる第二の出力特性を示すように対応関係が規定される。従って、上記態様は、印刷機の色材に合わせた色材使用量と画像形成装置の色材に合わせた色材使用量との対応関係を規定した一つのルックアップテーブルで入力色空間の領域毎にユーザーが意図する色再現目標を実現することが可能となる。
【００１４】
ここで、上記第一の色材は、印刷機で印刷物の形成に使用される色材であればよく、ＣＭＹＫといった４色を組み合わせた色材の他、５色以上を組み合わせた色材、及び、３色以下を組み合わせた色材が含まれる。上記第二の色材は、画像形成装置で色再現画像の形成に使用される色材であればよく、５色以上を組み合わせた色材の他、４色以下を組み合わせた色材が含まれる。
上記第一及び第二の領域の例としては、肌色領域、グレイ領域、カラーチャート領域、等を挙げることができる。第一及び第二の領域は、離散的な部分の集まりでもよい。
【００１５】
出力特性は、領域内の全体的な出力の傾向を意味する。例えば、前記入力色空間に含まれる領域について示される出力特性は、所定の観察光源における前記第一の色材の色彩値と前記第二の色材の色彩値との色差、前記色再現画像の粒状性を表す指標値、前記色再現画像の階調性を表す指標値、の少なくとも一つで表されてもよい。この態様は、入力色空間の領域毎にユーザーが意図する色再現目標を実現する好適な例を提供することができる。なお、観察光源は、複数の光源で構成されてもよい。
【００１６】
前記第一の出力特性は、第一の観察光源における前記第一の色材の色彩値と前記第二の色材の色彩値との色差が第一の範囲内となる出力特性を含んでもよい。前記第二の出力特性は、前記第一の観察光源とは異なる第二の観察光源における前記第一の色材の色彩値と前記第二の色材の色彩値との色差が第二の範囲内となる出力特性を含んでもよい。本態様は、入力色空間の領域毎にユーザーが意図する観察光源下の色再現目標を実現することができる。
【００１７】
前記第一の出力特性は、前記色再現画像の粒状性を表す指標値が第三の範囲内となる出力特性を含んでもよい。前記第二の出力特性は、前記色再現画像の粒状性を表す指標値が前記第三の範囲外となる出力特性を含んでもよい。本態様は、入力色空間の領域毎にユーザーが意図する粒状性の色再現目標を実現することができる。
【００１８】
ところで、前記入力色空間に含まれる各領域に対応した出力特性を示すように前記第一及び第二の色材の使用量の対応関係を規定した部分ルックアップテーブル群の中から選択された部分ルックアップテーブルを前記第一及び第二のルックアップテーブルの少なくとも一方として少なくとも合成して前記ルックアップテーブルを生成してもよい。この態様は、ルックアップテーブルの生成を容易にすることができる。
【００１９】
また、前記入力色空間に含まれる領域と出力特性との各組合せについて該組合せに対応した出力特性を示すように前記第一及び第二の色材の使用量の対応関係を規定した部分ルックアップテーブル群の中から選択された部分ルックアップテーブルを前記第一及び第二のルックアップテーブルの少なくとも一方として少なくとも合成して前記ルックアップテーブルを生成してもよい。この態様も、ルックアップテーブルの生成を容易にすることができる。
【００２０】
さらに、前記入力色空間に含まれる領域、及び、該領域に対応付ける出力特性を選択する入力を受け付け、該受け付けた領域について前記受け付けた出力特性を示すように前記第一及び第二の色材の使用量の対応関係を規定した部分ルックアップテーブルを前記部分ルックアップテーブル群の中から選択し、該選択した部分ルックアップテーブルを少なくとも合成して前記ルックアップテーブルを生成してもよい。この態様も、ルックアップテーブルの生成を容易にすることができる。
【００２１】
さらに、重複部分のある前記第一及び第二の領域について前記第一の領域の優先度が前記第二の領域の優先度よりも高く設定されてもよい。前記第一及び第二のルックアップテーブルを少なくとも合成するとき、前記重複部分について前記第一の出力特性を示すように前記第一及び第二の色材の使用量の対応関係を規定した前記ルックアップテーブルを生成してもよい。この態様は、領域の重複部分が優先度の高い領域についての出力特性を示すので、ユーザーが意図する色再現目標を好適に実現することが可能となる。
【００２２】
さらに、前記入力色空間の中で前記第一及び第二の領域の少なくとも一方の領域の境界部分に規定される前記第二の色材の使用量をスムージングしてもよい。この態様は、領域の境界部分についての出力特性が滑らかに変わるので、ユーザーが意図する色再現目標を好適に実現することが可能となる。
【００２３】
さらに、本発明は、ルックアップテーブル、ルックアップテーブルを記録したコンピューター読み取り可能な媒体、ルックアップテーブルを搭載した画像形成装置、上記ルックアップテーブル生成方法に対応した手段を備えるルックアップテーブル生成装置、画像形成装置を備えた画像形成システム、前述の装置又はシステムの各部に対応した機能をコンピューターに実現させるプログラム、該プログラムを記録したコンピューター読み取り可能な媒体、等に適用可能である。前述の装置及びシステムは、分散した複数の部分で構成されてもよい。
【図面の簡単な説明】
【００２４】
【図１】プルーフシステムＳＹ１の構成を模式的に例示する図。
【図２】ルックアップテーブル２００の構造を模式的に例示する図。
【図３】ルックアップテーブル２００のデータ構造を模式的に例示する図。
【図４】（ａ）は元包括ルックアップテーブルのデータ構造を模式的に例示する図、（ｂ）は部分ルックアップテーブルのデータ構造を模式的に例示する図。
【図５】複数の部分ルックアップテーブルを有するルックアップテーブル群の構造を模式的に例示する図。
【図６】（ａ），（ｂ）は元包括ルックアップテーブル及び部分ルックアップテーブルから形成されるルックアップテーブル２００の構造を模式的に例示する図。
【図７】コンピューター１０の構成を模式的に例示するブロック図。
【図８】印刷色プロファイルＰＲ０のデータ構造を模式的に例示する図。
【図９】印刷色プロファイルＰＲ０の生成方法例を模式的に説明するための図。
【図１０】分光反射率に基づいて色彩値を算出するための計算例を説明する図。
【図１１】インク量セットを最適化する処理の流れを模式的に例示する図。
【図１２】インク量セットが最適化されていく様子を模式的に例示する図。
【図１３】画像形成装置で行われる色再現画像出力制御処理を例示するフローチャート。
【図１４】分光反射率データベースの構造を模式的に例示する図。
【図１５】分光ノイゲバウアモデルを模式的に例示する図。
【図１６】セル分割ユール・ニールセン分光ノイゲバウアモデルを模式的に例示する図。
【図１７】ルックアップテーブル生成処理を例示するフローチャート。
【図１８】設定画面５００を例示する図。
【図１９】スムージング処理を模式的に例示する図。
【図２０】色再現画像の粒状性を変える様子を模式的に例示する図。
【図２１】粒状性指標値ＩＮ１を算出する様子を模式的に例示する図。
【図２２】色再現画像の階調性を変える様子を模式的に例示する図。
【発明を実施するための形態】
【００２５】
以下、本発明の実施形態を説明する。むろん、以下の実施形態は本発明を例示するものに過ぎず、実施形態に示す特徴の全てが発明の解決手段に必須になるとは限らない。
【００２６】
（１）プルーフシステムの概要：
図１は、印刷本機（印刷機）３００で形成される印刷物３５０のプルーフ１５０をプルーフ機（画像形成装置）１００で形成するプルーフシステムＳＹ１を模式的に例示している。印刷本機で直接、印刷物を形成して色味等を確認すると、高いコストがかかる。そこで、印刷物３５０を形成しなくても印刷物３５０上の印刷画像３６０の色味等を確認可能とするため、プルーフ機１００は、印刷物３５０の色再現画像１６０を形成する。
【００２７】
印刷本機（印刷機）３００には、オフセット印刷機、グラビア印刷機、等が含まれる。図１に示す印刷本機３００は、ＣＭＹＫ（シアン、マゼンタ、イエロー、ブラック）の第一の色材ＣＬ１を使用して被印刷物Ｍ１に印刷画像３６０を形成する。なお、第一の色材ＣＬ１は、Ｋの色材（第三の色材ＣＬ３）と、この色材ＣＬ３の色（Ｋ）に合わせて置き換え可能なＣＭＹの色材（第四の色材ＣＬ４）と、を含む。
【００２８】
プルーフ機（画像形成装置）１００には、インクジェットプリンター、ワイヤドットプリンター、レーザープリンター、ラインプリンター、複写機、ファクシミリ、これらの一部を組み合わせた複合機、等が含まれる。図１に示すプルーフ機１００は、ＣＭＹＫｌｃｌｍの第二の色材ＣＬ２を使用して被印刷物Ｍ２に色再現画像１６０を形成する。ライトシアン（ｌｃ）は、シアンと同系統の色相でシアンよりも明度が高い色である。ライトマゼンタ（ｌｍ）は、マゼンタと同系統の色相でマゼンタよりも明度が高い色である。むろん、第二の色材ＣＬ２は、ＣＭＹＫＲＯｒＧｒの色材等でもよい。レッド（Ｒ）やオレンジ（Ｏｒ）やグリーン（Ｇｒ）は、ＣＭＹに置き換え可能な色である。図１に示すプルーフ機１００は、ＬＵＴ（ルックアップテーブル）２００に従って、ＣＭＹＫの第一の色材ＣＬ１の各使用量Ｄｃ，Ｄｍ，Ｄｙ，ＤｋをＣＭＹＫｌｃｌｍの第二の色材ＣＬ２の各使用量ｄc，ｄm，ｄy，ｄk，ｄlc，ｄlmに変換し、得られる使用量ｄc，ｄm，ｄy，ｄk，ｄlc，ｄlmに従って色再現画像１６０を形成する。インク使用量を被印刷物Ｍ２上のドットに変換する場合、各使用量ｄc，ｄm，ｄy，ｄk，ｄlc，ｄlmを表す階調データに対してディザ法や誤差拡散法や濃度パターン法といった所定のハーフトーン処理を行って前記階調データの階調数を減らし、得られる多値データに従ってインク滴を吐出して被印刷物Ｍ２上にインクドットを形成する。多値データは、ドットの形成状況を表すデータであり、ドットの形成有無を表す２値データでもよいし、大中小の各ドットといった異なるサイズのドットに対応可能な３階調以上の多値データでもよい。２値データは、例えば、ドット形成に１、ドット無しに０、を対応させるデータとすることができる。４値データとしては、例えば、大ドット形成に３、中ドット形成に２、小ドット形成に１、ドット無しに０、を対応させるデータとすることができる。得られる色再現画像は、被印刷物Ｍ２上のドットの形成状況で表現される。
【００２９】
印刷画像３６０や色再現画像１６０は、観察光源Ｌ０の種類によって色味が変わってくる。ここで、符号Ｌ０は、個々の光源Ｌ１〜Ｌ３を総称するときに使用する。規格化された観察光源Ｌ０には、Ｄ５０光源、Ｄ５５光源、Ｄ６５光源、Ｄ７５光源、Ａ光源、Ｆ２光源、Ｆ７光源、Ｆ１０光源、Ｆ１１光源、等が含まれる。色味の変化は、色材の種類にも依存する。
例えば、印刷業界では、実際の照明には無い分光分布を示すＤ５０光源が標準光源である。Ｄ５０光源下で印刷性能を見るため、標準のＤ５０光源で見たときの色精度を保証することは印刷機のプルーフ機として重要なことである。一方、印刷本機による印刷物やプルーフ機による色再現画像を実際に見る環境は、Ｄ５０光源とは異なる光源であることが想定され、Ｄ６５光源とＡ光源の混合環境といった複数の光源が混ざった環境も想定される。従って、Ｄ５０光源Ｌ１下で印刷画像３６０と色再現画像１６０との色味が合っていても、別の光源Ｌ２，Ｌ３下では印刷画像３６０と色再現画像１６０との色味が合わないことがある。
【００３０】
なお、ＤＤＣＰ機（Direct Digital Color Proofer；ダイレクト・デジタル・カラー・プルーファー）には、印刷本機と同じＣＭＹＫのみの色材を用いるものもある。印刷プルーフ機に印刷本機と同じＣＭＹＫの色材を用いると、高精度の色再現性を実現することができるものの、より多くの色のインクを用いるインクジェットプリンターの特徴である写真画質といった高画質の色再現画像等、ユーザーの意図を反映した色再現画像を得ることができない。また、このようなＤＤＣＰ機は、高価である。
また、ＤＤＣＰ機は、印刷本機で形成される印刷画像を忠実に再現することができるものの、ＣＭＹＫの色材で形成される印刷画像の特徴を把握したうえでユーザーの意図を反映してメタメリックマッチングの目標を切り替えたり画質を確立したりする仕組みになっていない。
【００３１】
本技術は、上述したＤＤＣＰ機にある課題を解決するものであり、ユーザーの意図に応じた高画質の色再現画像１６０を得ることができる。例えば、色再現画像１６０に含まれる肌色については見た目を重視し、グレイ（例えば中間調の無彩色及びその近傍）については所定の観察光源下のメタメリックマッチングを重視するといった、色空間内の領域毎にユーザーの意図に応じた色再現画像１６０を一つのＬＵＴ２００で得ることができる。
なお、第一の色材ＣＬ１の各使用量Ｄｃ，Ｄｍ，Ｄｙ，Ｄｋと第二の色材ＣＬ２の各使用量ｄc，ｄm，ｄy，ｄk，ｄlc，ｄlmとの対応関係を規定したＬＵＴ２００は、印刷本機依存のＣＭＹＫ４次元色空間のデータをプルーフ機依存のＣＭＹＫｌｃｌｍ色空間のデータに変換する点から色変換ＬＵＴと言える。また、ＬＵＴ２００は、ＣＭＹとＫの使用割合を変換し、Ｃとｌｃの使用割合を変換し、Ｍとｌｍの使用割合を変換する点から色分版ＬＵＴとも言える。
【００３２】
（２）ルックアップテーブルの構造、及び、生成方法の概要：
図２は、ＬＵＴ２００の構造を模式的に例示している。図３は、各格子点（入力点）Ｇ１に対応付けられる指標値とともにＬＵＴ２００のデータ構造を模式的に例示している。ＬＵＴ２００の入力はＣＭＹＫの４次元であるため、図示できない。そこで、ある１次元を１点に固定した３次元状にＬＵＴ２００を模式的に示すこととし、図２では、Ｋ値をある値に固定してＣＭＹの３次元空間にＬＵＴ２００の格子点Ｇ１を示している。例えば、ＣＭＹＫそれぞれの使用量についてＮｇ段階（Ｎｇは２以上の整数）の格子点を設ける場合、格子点数はＮｇ4個となる。Ｎｇ＝１７である場合、格子点数はＮ１＝１７4＝８３５２１個となる。Ｋの使用量がＮｇ段階あるので、図２に示すようなＣＭＹ３次元色空間がＮｇ個存在することになる。
なお、格子点は、ＬＵＴに規定される入力点を意味する一般的用語であり、入力色空間の座標に対応していれば配置に特別な限定は無い。従って、複数の格子点は、入力色空間内で均等に配置されるのみならず、入力色空間内でＣＭＹＫのそれぞれについて異なる位置にあれば不均等に配置されてもよい。
【００３３】
図２に示すように、ＣＭＹＫ色空間内の格子点Ｇ１の座標（位置）は、第一の色材ＣＬ１の各使用量Ｄｃ，Ｄｍ，Ｄｙ，Ｄｋを示している。格子点インク量（第二の色材ＣＬ２の各使用量）ｄc，ｄm，ｄy，ｄk，ｄlc，ｄlmは、各格子点Ｇ１に格納される。このようにして、ＬＵＴ２００には、各格子点Ｇ１について、ＣＭＹＫの色材ＣＬ１の使用量とＣＭＹＫｌｃｌｍの色材ＣＬ２の使用量との対応関係が規定されている。
【００３４】
本ＬＵＴ２００は、第一の色材ＣＬ１の色で表されるＣＭＹＫ色空間（入力色空間）に含まれる第一の領域Ｒ１について第一の出力特性を示すように対応関係が規定され、ＣＭＹＫ色空間（入力色空間）に含まれる第二の領域Ｒ２について第二の出力特性を示すように対応関係が規定されている。ＬＵＴ２００における第一及び第二の領域Ｒ１，Ｒ２は、互いに異なる領域（重複しない領域）である。符号Ｒ０は、領域Ｒ１，Ｒ２を含む入力色空間の部分的な領域を総称する領域である。領域Ｒ０は、入力色空間の中でユーザーの意図を反映させる色の範囲を意味する。特性は、全体的な傾向を意味する。第一及び第二の出力特性は、互いに異なる出力特性である。図３に例示する第一の領域Ｒ１の色は、Ｆ１０光源とＦ２光源とを均等に混合した観察光源において印刷本機による印刷画像３６０とプルーフ機による色再現画像１６０との色差ΔＥF10-F2が所定の範囲内（例えば１．０以下）となる使用量ｄc，ｄm，ｄy，ｄk，ｄlc，ｄlmに変換される。また、図３に例示する第二の領域Ｒ２の色は、Ｄ５０光源において印刷画像３６０と色再現画像１６０との色差ΔＥD50が所定の範囲内（例えば１．０以下）となる使用量ｄc，ｄm，ｄy，ｄk，ｄlc，ｄlmに変換される。図３の例では、出力特性が所定の観察光源における第一の色材の色彩値と第二の色材の色彩値との色差で表されている。色彩値は、例えば、ＣＩＥ（国際照明委員会）Ｌ*ａ*ｂ*色空間で定義されるＬ*，ａ*，ｂ*で表される。第一の色材の色彩値をＬD，ａD，ｂD、第二の色材の色彩値をＬd，ａd，ｂdで表す場合、色差ΔＥは、ΔＥ＝｛（Ｌd−ＬD）2＋（ａd−ａD）2＋（ｂd−ｂD）2｝1/2により算出してもよいし、ＣＩＥ ＤＥ２０００の色差式（ΔＥ2000）に基づいて算出してもよい。
【００３５】
なお、格子点Ｇ１は入力色空間内に離散的に配置されるため、図２に示すように、領域Ｒ０の境界部分Ｒｂは格子点Ｇ１の位置に一致するとは限らない。図２では、補間演算により領域Ｒ０内の色を変換するために用いられる格子点を符号Ｇ２，Ｇ３で示し、領域Ｒ０内の格子点を符号Ｇ２で示している。格子点Ｇ３は、領域Ｒ０外ではあるが出力値ｄc，ｄm，ｄy，ｄk，ｄlc，ｄlmの補間のために必要な隣接格子点である。符号Ｒ１ｇ，Ｒ２ｇは、それぞれ、領域Ｒ１，Ｒ２の色の変換に用いる格子点Ｇ２，Ｇ３の範囲を示している。
【００３６】
図４（ａ）は、元包括ＬＵＴ２１０のデータ構造を模式的に例示している。図４（ｂ）は、分割ＬＵＴ（部分ルックアップテーブル）２３０のデータ構造を模式的に例示している。図５は、分割ＬＵＴ群（部分ルックアップテーブル群）２２０に含まれる分割ＬＵＴ２３０を例示している。図６（ａ），（ｂ）は、元包括ＬＵＴ２１０及び分割ＬＵＴ２３０から形成されるＬＵＴ２００の構造を模式的に例示している。なお、ＬＵＴ２００，２３０に示した色材使用量及び指標値は、模式的な数値であり、領域Ｒ０及び出力特性を限定するものではない。また、指標値は、ＬＵＴ２００，２３０のデータに含まれなくてもよい。
【００３７】
図４（ａ）に示す元包括ＬＵＴ２１０は、入力色空間の全体にわたって色材ＣＬ１，ＣＬ２の使用量の対応関係を規定しており、例えば、ＬＵＴ２００と同じくＮ１＝Ｎｇ4個の格子点Ｇ１を有する。元包括ＬＵＴ２１０は、所定の観察光源下で印刷画像３６０と色再現画像１６０との色味が合うように対応関係が規定されている。例えば、Ｄ５０光源下で印刷画像３６０と色再現画像１６０との色味を極力忠実に合わせる場合、印刷画像３６０の色彩値と色再現画像１６０の色彩値との色差ΔＥD50が所定の範囲内（例えば１．０など正の閾値以下）となるように対応関係を規定した元包括ＬＵＴ２１０を用意すればよい。このような元包括ＬＵＴ２１０は、そのままＬＵＴ２００としてプルーフ機１００に使用されても、印刷画像３６０を忠実に再現する機能をプルーフ機１００に実現させる。
むろん、色味を合わせる観察光源は、Ｄ５０光源以外の光源でもよいし、複数の光源の組合せでもよい。元包括ＬＵＴの生成方法の詳細は、後述する。
【００３８】
図４（ｂ）に示す分割ＬＵＴ２３０は、ＬＵＴ２００，２１０の格子点数Ｎ１よりも少ない数Ｎｐの格子点Ｇ２，Ｇ３のそれぞれについて色材ＣＬ１，ＣＬ２の使用量の対応関係を規定している。分割ＬＵＴ２３０は領域Ｒ０外の隣接格子点Ｇ３についても色材ＣＬ１，ＣＬ２の使用量の対応関係を規定しているが、これは補間演算により領域Ｒ０内全ての色を変換するためである。従って、格子点Ｇ２，Ｇ３を有する分割ＬＵＴ２３０は、入力色空間に含まれる領域Ｒ０について色材ＣＬ１，ＣＬ２の使用量の対応関係を規定していることになる。
【００３９】
図５に示すように、分割ＬＵＴ２３０は、入力色空間に含まれる領域Ｒ０と出力特性との組合せのそれぞれについて設けられている。分割ＬＵＴ群２２０は、前記の各組合せについて該組合せに対応した出力特性を示すように色材ＣＬ１，ＣＬ２の使用量の対応関係を規定している。対象の領域Ｒ０は、入力色空間内の一部の領域であればよく、肌色領域、グレイ領域、カラーチャート領域、インクセーブ領域、その他特色領域、等を例示することができ、分割されていないひとまとまりの領域のみならず、離散的な領域も含む。肌色領域やグレイ領域は、人の目に敏感な色の領域の代表例である。カラーチャート領域は、カラーチャートを形成するための色の領域であり、離散的な領域でもよい。インクセーブ領域は、第二の色材ＣＬ２の使用量を節約する領域である。特色領域は、人の目に敏感な色の領域を総称している。
【００４０】
分割ＬＵＴ群２２０に含まれる分割ＬＵＴ２３０には、図４（ｂ）に示すように、入力色空間に含まれる領域Ｒ０について示される出力特性を数値化するための指標値が対応付けられている。従って、分割ＬＵＴ群２２０は、指標値と紐付けされた分割ＬＵＴデータベースを構成する。出力特性は、所定の観察光源における第一の色材ＣＬ１の色彩値と第二の色材ＣＬ２の色彩値との色差ΔＥ、色再現画像１６０の粒状性を表す粒状性指標値（ＩＮ１とする。）、色再現画像１６０の階調性を表す階調性指標値（ＩＮ２とする。）、の少なくとも一つ等で定量化される。これらの指標値ΔＥ，ＩＮ１，ＩＮ２等を画質定量指数ＩＮと総称することにする。図５には、出力特性として、見た目重視、色差重視、低粒状感重視、階調性重視、インクセーブ、等が示されている。「見た目重視」は、例えば、Ｆ１０光源とＦ２光源とを１：１で混合した蛍光灯を意味する観察光源の下で印刷画像３６０の色彩値と色再現画像１６０の色彩値との色差ΔＥF10-F2が所定の範囲内（例えば１．０など正の閾値以下）となる出力特性とする。むろん、「見た目重視」は、Ｄ５０光源とＦ１０光源とＦ２光源の１：１：１の混合光源等の観察光源の下で両画像３６０，１６０の色彩値との色差が所定の範囲内となる出力特性としてもよい。「色差重視」は、例えば、Ｄ５０光源下で印刷画像３６０の色彩値と色再現画像１６０の色彩値との色差ΔＥD50が所定の範囲内（例えば１．０など正の閾値以下）となる出力特性とする。「低粒状感重視」は、例えば、色再現画像１６０の粒状性指標値ＩＮ１が所定の範囲内（例えば正の閾値以下）となる出力特性とする。「階調性重視」は、例えば、色再現画像１６０の階調性指標値ＩＮ２が所定の範囲内（例えば正の閾値以下）となる出力特性とする。
【００４１】
ＬＵＴ２００を生成するときには、元包括ＬＵＴ２１０と複数の分割ＬＵＴ２３０の中から選ばれる第一及び第二のＬＵＴ２４１，２４２（図２，３参照）を少なくとも合成する。第一のＬＵＴ２４１は、第一の色材ＣＬ１の色で表されるＣＭＹＫ色空間に含まれる第一の領域Ｒ１について第一の出力特性を示すように第一及び第二の色材ＣＬ１，ＣＬ２の使用量の対応関係を各格子点Ｇ２，Ｇ３について規定している。第二のＬＵＴ２４２は、前記ＣＭＹＫ色空間に含まれる第二の領域Ｒ２について第一の出力特性とは異なる第二の出力特性を示すように第一及び第二の色材ＣＬ１，ＣＬ２の使用量の対応関係を各格子点Ｇ２，Ｇ３について規定している。得られるＬＵＴ２００は、ＬＵＴ２４１，２４２を含む包括的なＬＵＴである。ＬＵＴ２００の生成方法における領域Ｒ０は重複してもよく、領域Ｒ０の重複部分Ｒｏｖがいずれか一つの領域Ｒ０の出力特性が示されるように合成されることにより最終的なＬＵＴ２００においては各領域Ｒ０が互いに異なる領域（重複しない領域）となる。
【００４２】
なお、図２に示す格子点Ｇ３がＬＵＴ２４１，２４２にあるのは、境界部分Ｒｂ及びその近傍の領域Ｒ０の色を補間演算により変換するために領域Ｒ０外の格子点Ｇ３が必要だからである。例えば、「肌色領域」の色を変換する格子点Ｇ２，Ｇ３を有する「見た目重視」のＬＵＴ２３１は、「肌色領域」の色について印刷画像３６０の色彩値と色再現画像１６０の色彩値との色差ΔＥF10-F2が所定の範囲内となる出力特性を格子点Ｇ２，Ｇ３に有する。
【００４３】
むろん、図６（ａ）に示すように、ＬＵＴ２００の合成に用いるのは、ＬＵＴ２４１，２４２の２つのみに限定されない。図６（ａ）に示すＬＵＴ２００は、該ＬＵＴ２００全体の領域である包括領域Ｒ９に肌色領域Ｒ０Ａ、グレイ領域Ｒ０Ｂ、カラーチャート領域Ｒ０Ｃ、特色領域Ｒ０Ｄ，Ｒ０Ｅ，Ｒ０Ｆが埋め込まれた構造を有している。ＬＵＴ２００の各領域Ｒ０Ａ〜Ｒ０Ｆは、対応する分割ＬＵＴ２３０に基づいて形成される。包括領域Ｒ９のうち領域Ｒ０Ａ〜Ｒ０Ｆを除いた領域は、元包括ＬＵＴ２１０に基づいて形成される。このような場合、第一及び第二のＬＵＴ２４１，２４２は、元包括ＬＵＴ２１０、及び、領域Ｒ０Ａ〜Ｒ０Ｆを形成する６種類の分割ＬＵＴ２３０の中からそれぞれ選べばよい。なお、総称する領域Ｒ０は、領域Ｒ０Ａ〜Ｒ０Ｆ，Ｒ９を含む。
【００４４】
また、図６（ｂ）に示すように、元包括ＬＵＴ２１０と１種類の分割ＬＵＴ２３０のみとをＬＵＴ２４１，２４２として合成してＬＵＴ２００を生成してもよい。図６（ｂ）に示すＬＵＴ２００は、第一の領域Ｒ１全体が包括領域Ｒ９との重複部分Ｒｏｖであり、この重複部分Ｒｏｖが分割ＬＵＴ２３０に基づいて形成されて第一の出力特性を示すようにされ、包括領域Ｒ９から重複部分Ｒｏｖを除いた領域が第二の領域Ｒ２として元包括ＬＵＴ２１０に基づいて形成されて第二の出力特性を示すようにされている。むろん、第二の領域Ｒ２が分割ＬＵＴ２３０に基づいて形成され、包括領域Ｒ９から第二の領域Ｒ２を除いた第一の領域Ｒ１が元包括ＬＵＴ２１０に基づいて形成されてもよい。
【００４５】
（３）ルックアップテーブル生成装置、及び、色変換装置の概要：
図７は、ＬＵＴ（ルックアップテーブル）生成装置Ｕ０を含むコンピューター１０の構成を例示している。コンピューター１０では、ＣＰＵ（Central Processing Unit）１１、ＲＡＭ（Random Access Memory）１２、ＲＯＭ（Read Only Memory）１３、ハードディスクドライブ（ＨＤＤ）１４、汎用インターフェイス（ＧＩＦ）１５、ビデオインターフェイス（ＶＩＦ）１６、入力インターフェイス（ＩＩＦ）１７、等がバス１８に接続されて互いに情報を入出力可能とされている。ＨＤＤ１４には、オペレーティングシステム（ＯＳ）及びＬＵＴ生成プログラムを含む各種プログラムを実行するためのプログラムデータ１４ａ、元包括ＬＵＴ２１０、分割ＬＵＴ群２２０、等が記憶されている。ＨＤＤ１４には、生成されるＬＵＴ２００等も記憶される。ＣＰＵ１１は、プログラムデータ１４ａを適宜ＲＡＭ１２へ読み出し、プログラムデータ１４ａに従ってコンピューター１０全体を制御する。ＬＵＴ生成プログラムは、ＬＵＴ生成装置Ｕ０の各部Ｕ１，Ｕ２，Ｕ１１〜Ｕ１３に対応した機能をコンピューター１０に実現させ、コンピューター１０をＬＵＴ生成装置Ｕ０として機能させる。
【００４６】
ＧＩＦ １５には、画像出力装置であるプリンター２０、測色機やスキャナーといった画像入力装置３０、等が接続される。ＧＩＦ １５には、ＵＳＢ（Universal Serial Bus）等を採用することができる。プリンター２０は、プルーフ機１００でもよいし、プルーフ機１００でなくてもよい。ＶＩＦ １６には、画像出力装置であるディスプレイ４０等が接続される。ＩＩＦ １７には、操作入力装置５０であるキーボード５０ａ、同じく操作入力装置５０であるポインティングデバイス５０ｂ、等が接続される。ポインティングデバイス５０ｂには、マウス等を用いることができる。
【００４７】
図７に示すＬＵＴ生成装置Ｕ０は、合成部Ｕ１、合成条件設定部Ｕ２、元包括ＬＵＴ生成部Ｕ１１、分割ＬＵＴ生成部（部分ルックアップテーブル生成部）Ｕ１２、及び、予測部Ｕ１３を備え、上記ＬＵＴ２００を生成する。合成部Ｕ１は、第一の色材ＣＬ１の色で表される入力色空間に含まれる各領域Ｒ１について異なる出力特性を示すように第一及び第二の色材ＣＬ１，ＣＬ２の使用量の対応関係を規定したＬＵＴ（元包括ＬＵＴ２１０又は分割ＬＵＴ２３０）を合成して最終的なＬＵＴ２００を生成する。合成条件設定部Ｕ２は、分割ＬＵＴ群２２０の中から合成する分割ＬＵＴ２３０の選択入力を受け付けたり、合成する分割ＬＵＴ２３０の優先度の入力を受け付けたりする。元包括ＬＵＴ生成部Ｕ１１は、予測部Ｕ１３により予測された包括領域Ｒ９における第二の色材ＣＬ２の使用量を第一の色材ＣＬ１の使用量に対応付けて元包括ＬＵＴ２１０を生成する。分割ＬＵＴ生成部Ｕ１２は、予測部Ｕ１３により予測された領域Ｒ０における第二の色材ＣＬ２の使用量を第一の色材ＣＬ１の使用量に対応付けて分割ＬＵＴ２３０を生成する。予測部Ｕ１３は、観察光源Ｌ０について第一の色材ＣＬ１の使用量（例えばＤｃ，Ｄｍ，Ｄｙ，Ｄｋ）に対応付けられたターゲット色彩値（例えばＬ*ａ*ｂ*値）への近似性を評価する評価値Ｉ（後述）に基づいて、色再現画像１６０に形成される第二の色材ＣＬ２の色彩値（例えばＬ*ａ*ｂ*値）が観察光源Ｌ０毎にターゲット色彩値に近似するように第二の色材ＣＬ２の使用量を予測する。
【００４８】
図８は、第一の色材ＣＬ１の使用量とターゲット色彩値との対応関係を規定した印刷色プロファイルＰＲ０を示している。印刷色プロファイルＰＲ０は、第一の色材ＣＬ１の使用量Ｄｃ，Ｄｍ，Ｄｙ，Ｄｋと、印刷物３５０に形成される前記使用量Ｄｃ，Ｄｍ，Ｄｙ，Ｄｋの第一の色材ＣＬ１の観察光源Ｌ０下におけるターゲット色彩値ＬD，ａD，ｂDと、の例えばＮ１組の対応関係が規定されている。複数の観察光源Ｌ０のそれぞれについてターゲット色彩値に近似するように第二の色材ＣＬ２の使用量を予測する場合、各観察光源Ｌ０について印刷色プロファイルＰＲ１，ＰＲ２，ＰＲ３，…を設けるとよい。印刷色プロファイルＰＲ０は、元包括ＬＵＴ２１０や分割ＬＵＴ２３０を生成するために用いられる。
【００４９】
ここで、印刷色プロファイルＰＲ０に規定されるターゲット色彩値、及び、色再現画像１６０に形成される第二の色材ＣＬ２の色彩値は、デバイス非依存の色空間（機器独立色空間）、且つ、均等色空間の色彩値が好ましいものの、デバイス依存の色空間（機器従属色空間）の色彩値にすることも可能であるし、均等色空間でない色空間の色彩値にすることも可能である。デバイス非依存の均等色空間は、ＣＩＥ Ｌ*ａ*ｂ*色空間の他、ＣＩＥ Ｌ*ｕ*ｖ*色空間等でもよい。Ｌ*ａ*ｂ*色空間のＬ*は明度を表し、ａ*及びｂ*は色相及び彩度を示す色度を表す。
【００５０】
元包括ＬＵＴ２１０や分割ＬＵＴ２３０が生成されると、ＬＵＴ生成装置Ｕ０は、元包括ＬＵＴ２１０と合成条件設定部Ｕ２で設定された分割ＬＵＴ２３０とを合成部Ｕ１で合成してＬＵＴ２００を生成し、ＨＤＤ１４に記憶する。このＬＵＴ２００を参照することにより、第一の色材ＣＬ１の使用量を第二の色材ＣＬ２の使用量に色変換することができる。
図７に示すコンピューター１０は、ＨＤＤ１４に記憶されたＬＵＴ２００をＲＡＭ１２に読み出し、この読み出したＬＵＴ２００を参照して第一の色材ＣＬ１の使用量Ｄｃ，Ｄｍ，Ｄｙ，Ｄｋから第二の色材ＣＬ２の使用量ｄc，ｄm，ｄy，ｄk，ｄlc，ｄlmへの色変換を実行可能である。この場合、コンピューター１０に色変換装置が含まれ、ＨＤＤ１４及びＲＡＭ１２が記憶部Ｕ２１を構成し、プログラムデータ１４ａに含まれる色変換プログラムを実行するコンピューター１０が色変換部Ｕ２２を構成する。むろん、色変換装置は、ＬＵＴ生成装置Ｕ０とは別のコンピューターに含まれてもよい。
【００５１】
（４）ルックアップテーブル生成処理の例の説明：
次に、ＬＵＴ２００を生成する処理の例を説明する。
【００５２】
（４−１）印刷色プロファイルの生成例：
図９は、元包括ＬＵＴ２１０及び分割ＬＵＴ２３０を生成するための印刷色プロファイルＰＲ０を生成する方法を模式的に例示している。
印刷本機３００は、図９に例示するように、印刷色プロファイルＰＲ０を作成するためのチャート印刷物３５１を形成する。印刷物３５１は、被印刷物Ｍ１にカラーチャート３６１を形成したものである。チャート３６１には、複数のパッチ３６２が２次元に並べられている。パッチ３６２は、色票とも呼ばれ、測色機８００による測色の単位となる領域を意味する。各パッチ３６２は、印刷色プロファイルＰＲ０の色材使用量Ｄｃ，Ｄｍ，Ｄｙ，Ｄｋに対応している。観察光源Ｌ０毎に印刷色プロファイルＰＲ０を生成する場合、同じ印刷物３５１を用い観察光源を切り替えてチャート３６１を測色すればよい。例えば、Ｄ５０，Ｄ５５，Ｄ６５，Ａ，Ｆ１１光源と多くの観察光源下でＣＭＹＫ色空間の印刷画像３６０とＣＭＹＫｌｃｌｍ色空間の色再現画像１６０との色味を極力合わせる元包括ＬＵＴ２１０を生成する場合、Ｄ５０，Ｄ５５，Ｄ６５，Ａ，Ｆ１１光源（擬似的な光源を含む。以下、同様。）を順次切り替えてチャート３６１を測色し、Ｄ５０，Ｄ５５，Ｄ６５，Ａ，Ｆ１１光源のそれぞれについて第一の色材の使用量Ｄｃ，Ｄｍ，Ｄｙ，Ｄｋとターゲット色彩値ＬD，ａD，ｂDとを対応付けた色プロファイルＰＲ０を生成すればよい。
【００５３】
例えば、観察光源Ｌ０にＤ５０光源Ｌ１を用い各パッチ３６２を測色して複数組の色彩値ＬD-D50，ａD-D50，ｂD-D50をそれぞれ第一の色材の使用量Ｄｃ，Ｄｍ，Ｄｙ，Ｄｋに対応付けると、図８に示す印刷色プロファイルＰＲ１を生成することができる。この処理は、印刷色プロファイルＰＲ１のＮ１個の格子点全てについて行ってもよいが、格子点Ｇ１の一部について複数組の色彩値ＬD-D50，ａD-D50，ｂD-D50をそれぞれ第一の色材の使用量Ｄｃ，Ｄｍ，Ｄｙ，Ｄｋに対応付けた後、残りの格子点については補間演算により第一の色材の使用量Ｄｃ，Ｄｍ，Ｄｙ，Ｄｋを補間してもよい。印刷色プロファイルＰＲ１は、例えば、色差重視の分割ＬＵＴ２３０及び元包括ＬＵＴ２１０を生成するために使用される。
【００５４】
また、観察光源Ｌ０に例えばＦ１０光源を用い各パッチ３６２を測色して複数組の色彩値ＬD-F10，ａD-F10，ｂD-F10をそれぞれ第一の色材の使用量Ｄｃ，Ｄｍ，Ｄｙ，Ｄｋに対応付けると、図８に示す印刷色プロファイルＰＲ２を生成することができる。観察光源Ｌ０に例えばＦ２光源を用い各パッチ３６２を測色して複数組の色彩値ＬD-F2，ａD-F2，ｂD-F2をそれぞれ第一の色材の使用量Ｄｃ，Ｄｍ，Ｄｙ，Ｄｋに対応付けると、図８に示す印刷色プロファイルＰＲ３を生成することができる。これらの印刷色プロファイルＰＲ２，ＰＲ３の生成にも補間演算を用いてもよい。印刷色プロファイルＰＲ２，ＰＲ３は、例えば、見た目重視の分割ＬＵＴ２３０及び元包括ＬＵＴ２１０を生成するために使用される。
【００５５】
（４−２）第二の色材の使用量を予測する例：
ＬＵＴ生成装置Ｕ０は、決定した光源数分のターゲット色彩値を同時に再現するインク量をインク量の最適量探索手法（最適化アルゴリズム）で算出することができる。予測部Ｕ１３は、複数の観察光源Ｌ０について印刷色プロファイルＰＲ１に規定されたターゲット色彩値ＬD，ａD，ｂDへの近似性を評価する評価値Ｉに基づいて、色再現画像１６０に形成されるＣＭＹＫｌｃｌｍの色材ＣＬ２の色彩値が観察光源毎にターゲット色彩値ＬD，ａD，ｂDに近似するようにＣＭＹＫｌｃｌｍの色材ＣＬ２の使用量を予測する。
【００５６】
図１０は、ある分光反射率を有するターゲット（パッチ）から複数の観察光源下でそれぞれ色彩値を得る様子を模式的に説明している。ターゲットの分光反射率Ｒt（λ）は、通常、全可視波長領域において均一でない分布を有している。各光源は、それぞれ異なる分光エネルギーＰ（λ）の分布を有している。ターゲットに光源を照射したときの各波長の反射光の分光エネルギーは、ターゲット分光反射率Ｒt（λ）と分光エネルギーＰ（λ）を各波長について掛け合わせた値となる。さらに、反射光の分光エネルギーのスペクトルに対して人間の分光感度特性に応じた等色関数ｘ（λ），ｙ（λ），ｚ（λ）をそれぞれ畳み込み積分し、係数ｋによって正規化することにより、３刺激値Ｘ，Ｙ，Ｚを得ることができる。
【数１】
2015115737.tif 000003
上記３刺激値Ｘ，Ｙ，Ｚを所定の変換式によって変換することにより、色彩値Ｌ*ａ*ｂ*を得ることができる。
【００５７】
図１０に示すように、光源毎に分光エネルギーＰ（λ）のスペクトルが異なるので、最終的に得られるターゲット色彩値も光源に応じて異なることとなる。
【００５８】
図１１は、ターゲット色彩値ＬD，ａD，ｂDと同様の色を再現可能なインク量セットφを算出する最適インク量算出モジュール群の処理の流れを模式的に例示している。第二の色材ＣＬ２がＣＭＹＫｌｃｌｍの色材である場合、インク量セットφは、吐出するＣＭＹＫｌｃｌｍインクの使用量ｄc，ｄm，ｄy，ｄk，ｄlc，ｄlmの組合せを意味する。
【００５９】
最適インク量算出モジュール群（予測部Ｕ１３）は、インク量セット算出モジュール（ＩＣＭ）Ｐ３ａ１、分光反射率予測モジュール（ＲＰＭ）Ｐ３ａ２、色算出モジュール（ＣＣＭ）Ｐ３ａ３、評価値算出モジュール（ＥＣＭ）Ｐ３ａ４、を備える。
インク量セット算出モジュール（ＩＣＭ）Ｐ３ａ１は、入力がＣＭＹＫの色材使用量である４次元の印刷色プロファイルＰＲ０から一つの格子点Ｇ１を選択し、該格子点Ｇ１に対応付けられているターゲット色彩値ＬD，ａD，ｂDを取得する。この点は、入力がＲＧＢの画像出力である特開2009-200820号公報記載の印刷システムと大きく異なる。
分光反射率予測モジュール（ＲＰＭ）Ｐ３ａ２は、ＩＣＭ Ｐ３ａ１からのインク量セットφ、具体的にはインク使用量ｄc，ｄm，ｄy，ｄk，ｄlc，ｄlmの入力に応じて、当該インク量セットφに基づいてプルーフ機１００が印刷用紙といった被印刷物Ｍ２にインクを吐出させたときの分光反射率Ｒ（λ）を予測分光反射率Ｒs（λ）として予測する。インク量セットφを指定すれば被印刷物Ｍ２上における各インクドットの形成状態が予測できるため、ＲＰＭ Ｐ３ａ２は一意に予測分光反射率Ｒs（λ）を算出することができる。
【００６０】
ここで、図１３〜１６を参照して、ＲＰＭ Ｐ３ａ２に用いられる予測モデル（分光プリンティングモデル）を説明する。図１３には、プルーフ機１００の記録ヘッド２１を模式的に例示している。記録ヘッド２１は、ＣＭＹＫｌｃｌｍのインク毎に複数のノズル２１ａを備えている。プルーフ機１００は、ＣＭＹＫｌｃｌｍのインク毎の使用量をインク量セットφ（ｄc，ｄm，ｄy，ｄk，ｄlc，ｄlm）にする制御を行う。各ノズル２１ａから吐出されたインク滴は被印刷物Ｍ２上において多数のドットの集まりとなり、これによってインク量セットφ（ｄc，ｄm，ｄy，ｄk，ｄlc，ｄlm）に応じたインク被覆率の色再現画像１６０が被印刷物Ｍ２上に形成される。
【００６１】
ＲＰＭ Ｐ３ａ２に用いられる予測モデル（分光プリンティングモデル）は、任意のインク量セットφ（ｄc，ｄm，ｄy，ｄk，ｄlc，ｄlm）で印刷を行った場合の分光反射率Ｒ（λ）を予測分光反射率Ｒs（λ）として予測するものである。分光プリンティングモデルにおいては、インク量空間における複数の代表点についてカラーパッチを印刷し、その分光反射率Ｒ（λ）を分光反射率計によって測定することにより得られた分光反射率データベースＲＤＢを用意する。この分光反射率データベースＲＤＢを使用したセル分割ユール・ニールセン分光ノイゲバウアモデル(Cellular Yule-Nielsen Spectral Neugebauer Model)による予測を行うことにより、任意のインク量セットφで印刷を行った場合の予測分光反射率Ｒs（λ）を正確に予測する。
【００６２】
図１４は、分光反射率データベースＲＤＢの構造を模式的に例示している。本実施形態のインク量空間は６次元であるが、図の簡略化のためＣＭ面のみ図示している。分光反射率データベースＲＤＢは、インク量空間における複数の格子点のインク量セット（ｄc，ｄm，ｄy，ｄk，ｄlc，ｄlm）について実際に印刷及び測定をして得られた分光反射率Ｒ（λ）が記述されたＬＵＴとなっている。このＬＵＴは、各インク量軸を複数に分割する格子点を有している。なお、一部の格子点のみ実際に印刷及び測定をし、他の格子点については実際に印刷及び測定を行った格子点の分光反射率Ｒ（λ）に基づいて分光反射率Ｒ（λ）を予測してもよい。これにより、実際に印刷及び測定を行うカラーパッチの個数を低減させることができる。
【００６３】
分光反射率データベースＲＤＢは、被印刷物の種類毎に用意される。分光反射率Ｒ（λ）は被印刷物上に形成されたインク膜（ドット）による分光透過率と被印刷物の反射率によって決まるものであり、被印刷物の表面物性（ドット形状が依存）や反射率の影響を大きく受けるからである。
【００６４】
ＲＰＭ Ｐ３ａ２は、ＩＣＭ Ｐ３ａ１の要請に応じて分光反射率データベースＲＤＢを使用したセル分割ユール・ニールセン分光ノイゲバウアモデルによる予測を実行する。この予測にあたっては、ＩＣＭ Ｐ３ａ１から予測条件を取得し、この予測条件を設定する。例えば、被印刷物やインク量セットφを印刷条件として設定する。光沢紙を印刷用紙として予測を行う場合には、光沢紙にカラーパッチを印刷することにより作成した分光反射率データベースＲＤＢが設定される。
【００６５】
分光反射率データベースＲＤＢの設定ができると、ＩＣＭ Ｐ３ａ１から入力されたインク量セットφ（ｄc，ｄm，ｄy，ｄk，ｄlc，ｄlm）を分光プリンティングモデルに適用する。セル分割ユール・ニールセン分光ノイゲバウアモデルは、よく知られた分光ノイゲバウアモデルとユール・ニールセンモデルとに基づいている。簡略化のためＣＭＹの３種類のインクを用いた場合のモデルについて説明するが、同様のモデルを本実施形態のＣＭＹＫｌｃｌｍのインクセットを用いたモデルに拡張することができる。セル分割ユール・ニールセン分光ノイゲバウアモデルについては、Color Ｒes Appl 25, 4-19, 2000及びＲ Balasubramanian, Optimization of the spectral Neugebauer model for printer characterization, J. Electronic Imaging 8(2), 156-166 (1999)を参照。
【００６６】
図１５は、分光ノイゲバウアモデルを模式的に例示している。分光ノイゲバウアモデルでは、任意のインク量セット（ｄc，ｄm，ｄy）で印刷したときの印刷物の予測分光反射率Ｒs（λ）が以下の式で与えられる。
【数２】
2015115737.tif 000004
ここで、ａiはｉ番目の領域の面積率であり、Ｒi（λ）はｉ番目の領域の分光反射率である。添え字ｉは、インクの無い領域（ｗ）と、シアンインクのみの領域（ｃ）と、マゼンタインクのみの領域（ｍ）と、イエローインクのみの領域（ｙ）と、マゼンタインクとイエローインクが吐出される領域（ｒ）と、イエローインクとシアンインクが吐出される領域（ｇ）と、シアンインクとマゼンタインクが吐出される領域（ｂ）と、ＣＭＹの３つのインクが吐出される領域（ｋ）をそれぞれ意味している。また、ｆc，ｆm，ｆyは、ＣＭＹ各インクを１種類のみ吐出したときにそのインクで覆われる面積の割合（「インク被覆率(Ink area coverage)」と呼ぶ。）である。
【００６７】
インク被覆率ｆc，ｆm，ｆyは、図１５（Ｂ）に示すマーレイ・デービスモデルで与えられる。マーレイ・デービスモデルでは、例えばシアンインクのインク被覆率ｆcは、シアンのインク量ｄcの非線形関数であり、例えば１次元ルックアップテーブルによってインク量ｄcをインク被覆率ｆcに換算することができる。インク被覆率ｆc，ｆm，ｆyがインク量ｄc，ｄm，ｄyの非線形関数となる理由は、単位面積に少量のインクが吐出された場合にはインクが十分に広がるが、多量のインクが吐出された場合にはインクが重なり合うためにインクで覆われる面積があまり増加しないためである。他の種類のＭＹインクについても同様である。
【００６８】
分光反射率に関するユール・ニールセンモデルを適用すると、前記（２）式は以下の（３ａ）式又は（３ｂ）式に書き換えられる。
【数３】
2015115737.tif 000005
ここで、ｎは１以上の所定の係数であり、例えばｎ＝１０に設定することができる。（３ａ）式及び（３ｂ）式は、ユール・ニールセン分光ノイゲバウアモデル(Yule-Nielsen Spectral Neugebauer Model)を表す式である。
【００６９】
本実施形態で採用するセル分割ユール・ニールセン分光ノイゲバウアモデル(Cellular Yule-Nielsen Spectral Neugebauer Model)は、上述したユール・ニールセン分光ノイゲバウアモデルのインク量空間を複数のセルに分割したものである。
【００７０】
図１６（Ａ）は、セル分割ユール・ニールセン分光ノイゲバウアモデルにおけるセル分割の例を示している。ここでは、説明の簡略化のため、ＣＭインクのインク量ｄc，ｄmの２つの軸を含む２次元インク量空間でのセル分割を描いている。インク被覆率ｆc，ｆmは、上述したマーレイ・デービスモデルにてインク量ｄc，ｄmと一意の関係にあるため、インク被覆率ｆc，ｆmを示す軸と考えることもできる。白丸は、セル分割のグリッド点（「格子点」と呼ぶ。）であり、２次元のインク量（被覆率）空間が９つのセルＣ１〜Ｃ９に分割されている。各格子点に対応するインク量セット（ｄc，ｄm）は、分光反射率データベースＲＤＢに規定された格子点に対応するインク量セットとされている。すなわち、上述した分光反射率データベースＲＤＢを参照することにより、各格子点の分光反射率Ｒ（λ）を得ることができる。従って、各格子点の分光反射率Ｒ（λ）00，Ｒ（λ）10，Ｒ（λ）20・・・Ｒ（λ）33は、分光反射率データベースＲＤＢから取得することができる。
【００７１】
本実施形態では、セル分割がＣＭＹＫｌｃｌｍの６次元インク量空間で行われ、各格子点の座標も６次元のインク量セットφ（ｄc，ｄm，ｄy，ｄk，ｄlc，ｄlm）によって表される。各格子点のインク量セットφに対応する格子点の分光反射率Ｒ（λ）は、分光反射率データベースＲＤＢ（例えばコート紙のもの）から取得されることとなる。
【００７２】
図１６（Ｂ）は、セル分割モデルにて使用するインク被覆率ｆcとインク量ｄcとの関係を示している。ここでは、１種類のインクのインク量の範囲０〜ｄcmaxも３つの区間に分割され、区間毎に０から１まで単調に増加する非線形の曲線によってセル分割モデルにて使用する仮想的なインク被覆率ｆcが求められる。他のインクについても同様にインク被覆率ｆm，ｆyが求められる。
【００７３】
図１６（Ｃ）は、図１６（Ａ）の中央のセルＣ５内にある任意のインク量セット（ｄc，ｄm）にて印刷を行った場合の予測分光反射率Ｒs（λ）の算出方法を示している。インク量セット（ｄc，ｄm）にて印刷を行った場合の予測分光反射率Ｒs（λ）は、以下の式で与えられる。
【数４】
2015115737.tif 000006
【００７４】
ここで、（４）式におけるインク被覆率ｆc，ｆmは図１６（Ｂ）のグラフで与えられる値である。また、セルＣ５を囲む４つの格子点に対応する分光反射率Ｒ（λ）11，（λ）12，（λ）21，（λ）22は分光反射率データベースＲＤＢを参照することにより取得することができる。これにより、（４）式の右辺を構成するすべての値を確定することができ、その計算結果として任意のインク量セットφ（ｄc，ｄm）にて印刷を行った場合の予測分光反射率Ｒs（λ）を算出することができる。波長λを可視波長域にて順次シフトさせていくことにより、可視光領域における予測分光反射率Ｒs（λ）を得ることができる。インク量空間を複数のセルに分割すれば、分割しない場合に比べて予測分光反射率Ｒs（λ）をより精度良く算出することができる。
以上のようにして、ＲＰＭ Ｐ３ａ２は、ＩＣＭ Ｐ３ａ１の要請に応じて予測分光反射率Ｒs（λ）を予測する。
【００７５】
予測分光反射率Ｒs（λ）が得られると、色算出モジュール（ＣＣＭ）Ｐ３ａ３は当該予測分光反射率Ｒs（λ）の物体に複数の観察光源Ｌ０を照射したときの予測色彩値を算出する。この予測色彩値には、例えば、ＣＩＥ Ｌ*ａ*ｂ*色空間のＬ*ａ*ｂ*値が用いられる。予測色彩値を算出する流れは、図１０及び上記（１）式に示したものと同様である。
【数５】
2015115737.tif 000007
（５）式に示すように、予測分光反射率Ｒs（λ）に各光源の分光エネルギーのスペクトルを乗算し、等色関数による畳み込み積分をし、さらに３刺激値をＬ*ａ*ｂ*値に変換することにより、予測色彩値Ｌd，ａd，ｂdが求まる。予測色彩値は観察光源Ｌ０毎に算出される。
【００７６】
評価値算出モジュール（ＥＣＭ）Ｐ３ａ４は、各観察光源についてターゲット色彩値ＬD，ａD，ｂDと予測色彩値Ｌd，ａd，ｂdとの色差ΔＥを算出する。色差は、ΔＥ＝｛（Ｌd−ＬD）2＋（ａd−ａD）2＋（ｂd−ｂD）2｝1/2により算出してもよいし、ＣＩＥ ＤＥ２０００の色差式（ΔＥ2000）に基づいて算出してもよい。観察光源Ｌ０としてＤ５０，Ｄ６５，Ａ光源が選択された場合、各光源の色差をΔＥD50，ΔＥD65，ΔＥAと表記することにする。ターゲット色彩値ＬD，ａD，ｂDへの近似性を評価する評価値Ｉ（φ）は、インク使用量ｄc，ｄm，ｄy，ｄk，ｄlc，ｄlmに依存する評価関数であり、例えば、以下の式によって算出することができる。
【数６】
2015115737.tif 000008
ここで、ｉは、観察光源を表している。上述した例では、ｉ＝１はＤ５０光源を表し、ｉ＝２はＤ６５光源を表し、ｉ＝３はＡ光源を表す。Ｎは、選択された観察光源の数を表している。ΔＥiは、観察光源ｉの下でターゲット色彩値ＬD，ａD，ｂDと予測色彩値Ｌd，ａd，ｂdとの色差を表している。ｗiは、各観察光源下での色差ΔＥiに対する重みを表している。本実施形態では重みｗiが均等であるものとして説明するが、均等でなくてもよい。
【００７７】
評価値Ｉ（φ）は、各色差ΔＥiが小さくなると小さくなり、ターゲット色彩値と予測色彩値とが各観察光源において総合的に近いほど小さくなる性質を有している。ＩＣＭＰ３ａ１がインク量セットφをＲＰＭ Ｐ３ａ２とＣＣＭ Ｐ３ａ３とＥＣＭ Ｐ３ａ４に出力することにより、最終的に評価値Ｉ（φ）がＩＣＭ Ｐ３ａ１に返される。ＩＣＭ Ｐ３ａ１は、インク量セットφに対応する評価値Ｉ（φ）を算出することを繰り返すことにより、目的関数としての評価値Ｉ（φ）が極小化するようなインク量セットφの最適解を算出する。この最適解を算出する手法としては、例えば勾配法といった非線形最適化手法を用いることができる。
【００７８】
図１２は、ＣＩＥ Ｌ*ａ*ｂ*色空間において、各観察光源下のターゲット色彩値ＬD，ａD，ｂDと、インク量セットφが最適化されていく際の各観察光源下の予測色彩値Ｌd，ａd，ｂdの推移を示している。インク量セットφ（ｄc，ｄm，ｄy，ｄk，ｄlc，ｄlm）は、各色差ΔＥiが次第に小さくなるように最適化されていく。このようにして、観察光源毎にターゲット色彩値ＬD，ａD，ｂDに近似する色彩値の色を色再現画像１６０に再現させることが可能なインク量セットφが算出される。
【００７９】
最適化処理の終了条件は、例えば、色差ΔＥiが閾値ＴＥi以下となったときとすることができる。閾値ＴＥiは、各観察光源ｉに設けられ、同じ値のみならず、互いに異なる値でもよい。全ての観察光源ｉについてΔＥi≦ＴＥiとなると、最適化処理が終了する。このようにして、予測部Ｕ１３は、第二の色材ＣＬ２の使用量を予測する。元包括ＬＵＴ生成部Ｕ１１は、入力色空間の包括領域Ｒ９における第二の色材ＣＬ２の予測使用量ｄc，ｄm，ｄy，ｄk，ｄlc，ｄlmを第一の色材ＣＬ１の使用量Ｄｃ，Ｄｍ，Ｄｙ，Ｄｋに対応付けて元包括ＬＵＴ２１０を生成する。分割ＬＵＴ生成部Ｕ１２は、入力色空間の部分的な領域Ｒ０における第二の色材ＣＬ２の予測使用量ｄc，ｄm，ｄy，ｄk，ｄlc，ｄlmを第一の色材ＣＬ１の使用量Ｄｃ，Ｄｍ，Ｄｙ，Ｄｋに対応付けて分割ＬＵＴ２３０を生成する。
【００８０】
以下の具体例を説明するとき、元包括ＬＵＴ２１０がＤ５０光源を含む多数の観察光源（例えばＤ５０，Ｄ５５，Ｄ６５，Ａ，Ｆ１１光源）の下で印刷画像３６０と色再現画像１６０との色味が合う出力特性を有するものとする。この場合、Ｄ５０光源下の色差ΔＥD50については他の光源下の色差よりも小さくなるようにしてもよい。また、第一の領域Ｒ１についての分割ＬＵＴ２３０（第一のＬＵＴ２４１とする。）がＦ１０，Ｆ２光源下で両画像３６０，１６０の色味が合う見た目重視の第一の出力特性を有し、第二の領域Ｒ２についての分割ＬＵＴ２３０（第二のＬＵＴ２４２とする。）がＤ５０光源下で両画像３６０，１６０の色味が合う色差重視の第二の出力特性を有するものとする。この場合、Ｆ１０，Ｆ２光源が第一の観察光源となり、Ｄ５０光源が第二の観察光源となる。Ｆ１０，Ｆ２光源下の色差ΔＥ1，ΔＥ2に対する閾値ＴＥ1，ＴＥ2は、混合比率１：１を示すＴＥ1＝ＴＥ2とする。
【００８１】
（４−３）ルックアップテーブルの生成例：
図１７は、コンピューター１０（ＬＵＴ生成装置Ｕ０）で行われるＬＵＴ生成処理のフローチャートを例示している。ＬＵＴ生成処理が開始されると、コンピューター１０は、ＬＵＴ合成の条件設定を受け付ける（ステップＳ１０２。以下、「ステップ」の記載を省略）。
【００８２】
図１８は、コンピューター１０がディスプレイ４０に表示させる設定画面５００を例示している。設定画面５００には、ＣＭＹＫ色空間に含まれる領域Ｒ０の選択欄５２１，５２２，５２３，…、出力特性の選択欄５３１，５３２，５３３，…、優先度の選択欄５４１，５４２，５４３，…、作成ボタン５５０、等が設けられている。最終的に生成されるＬＵＴ２００は、印刷本機３００の種類に合わせられ、被印刷物Ｍ１の種類に合わせられるので、印刷本機３００の種類選択欄５１１、被印刷物Ｍ１の種類選択欄５１２、等を設定画面５００に設けてもよい。
印刷本機の選択欄５１１には、オフセット印刷機、グラビア印刷機、といった複数の項目の中から印刷本機の種類を選択入力可能である。被印刷物の選択欄５１２には、コート紙、ケント紙、といった複数の項目の中から被印刷物の種類を選択入力可能である。
【００８３】
領域選択欄５２１，５２２，５２３，…には、肌色領域、グレイ領域、カラーチャート領域、特色領域、指定無し、といった項目の中から分割ＬＵＴ２３０の領域Ｒ０を選択入力可能である。「指定無し」は、ＬＵＴ２００の合成に用いる分割ＬＵＴ２３０を指定しないという意味である。「指定無し」とされていない領域選択欄では、互いに異なる領域が選択される。領域選択欄への操作入力を受け付けて選択された項目を記憶する処理は、入力色空間に含まれる領域Ｒ０を選択する入力を受け付けるＳ１０３の処理である。
【００８４】
出力特性選択欄５３１，５３２，５３３，…には、見た目重視、色差重視、低粒状感重視、階調性重視、インクセーブ、といった項目の中から領域Ｒ０に対応付ける出力特性を選択入力可能である。図１８の例では、肌色領域に見た目重視が対応付けられ、グレイ領域に色差重視が対応付けられていることが示されている。領域選択欄では互いに異なる領域が選択されるため、出力特性選択欄では同種類の出力特性が選択されてもよい。出力特性選択欄への操作入力を受け付けて選択された項目を記憶する処理は、領域Ｒ０に対応付ける出力特性を選択する入力を受け付けるＳ１０４の処理である。
【００８５】
優先度選択欄５４１，５４２，５４３，…には、最優先、次に優先、高、中、低、最も低い、といった項目の中から領域Ｒ０に対応付ける優先度を選択入力可能である。図１８の例では、肌色領域に「最優先」が対応付けられ、グレイ領域に「次に優先」が対応付けられていることが示されている。優先度選択欄では、互いに異なる優先度が選択される。優先度選択欄への操作入力を受け付けて選択された優先度を記憶する処理は、領域Ｒ０に対応する優先度を選択する入力を受け付けるＳ１０５の処理である。
【００８６】
作成ボタン５５０が操作されると、コンピューター１０は、ＬＵＴ２００の色材使用量ｄc，ｄm，ｄy，ｄk，ｄlc，ｄlmの格納領域をＲＡＭ１２に確保する（Ｓ１０６）。Ｓ１０８〜Ｓ１１２では、領域選択欄で受け付けた領域Ｒ０について出力特性選択欄で受け付けた出力特性を示すように色材ＣＬ１，ＣＬ２の使用量の対応関係を規定した分割ＬＵＴ２３０を分割ＬＵＴ群２２０の中から選択し、該選択した分割ＬＵＴ２３０を合成する。なお、各分割ＬＵＴ２３０には色差ΔＥ等の指標値が対応付けられているので、出力特性選択欄で受け付けた出力特性を満足する分割ＬＵＴ２３０を分割ＬＵＴ群２２０から検索して取得してもよい。
【００８７】
まず、Ｓ１０８では、領域選択欄で選択されＳ１１０の色材使用量格納処理を行っていない領域Ｒ０のうち、優先度選択欄で選択された最も高い優先度に対応付けられた領域Ｒ０について出力特性選択欄で選択された出力特性を示す分割ＬＵＴ２３０を分割ＬＵＴ群２２０から取得する。Ｓ１１０では、Ｓ１０８で取得された分割ＬＵＴ２３０の領域Ｒ０内の色を変換する格子点のうちＬＵＴ格納領域に他の分割ＬＵＴ２３０の色材使用量ｄc，ｄm，ｄy，ｄk，ｄlc，ｄlmを格納していない格子点に対して、Ｓ１０８で取得された分割ＬＵＴ２３０の色材使用量ｄc，ｄm，ｄy，ｄk，ｄlc，ｄlmを格納する。図１８の例では、初回のＳ１０８の処理において肌色領域と見た目重視の組合せに対応する分割ＬＵＴ２３１（図５参照）が取得され、初回のＳ１１０の処理において分割ＬＵＴ２３１の色材使用量ｄc，ｄm，ｄy，ｄk，ｄlc，ｄlmがＬＵＴ格納領域内の第一の領域Ｒ１の色を変換する格子点に格納されることになる。
【００８８】
Ｓ１１２では、設定画面５００で選択された領域Ｒ０と出力特性の組合せに対応する分割ＬＵＴ２３０のうち色材使用量ｄc，ｄm，ｄy，ｄk，ｄlc，ｄlmをＬＵＴ格納領域に格納していない分割ＬＵＴ２３０があるか否かを判断する。このような分割ＬＵＴ２３０がある場合、Ｓ１０８〜Ｓ１１２の処理が繰り返される。図１８の例では、２回目のＳ１０８の処理においてグレイ領域と色差重視の組合せに対応する分割ＬＵＴ２３２（図５参照）が取得され、２回目のＳ１１０の処理において分割ＬＵＴ２３２の色材使用量ｄc，ｄm，ｄy，ｄk，ｄlc，ｄlmがＬＵＴ格納領域内の第二の領域Ｒ２の色を変換する格子点に格納されることになる。また、図１８の例では、分割ＬＵＴ２３２の色材使用量ｄc，ｄm，ｄy，ｄk，ｄlc，ｄlmがＬＵＴ格納領域に格納されると、Ｓ１１４に処理が進められる。
【００８９】
なお、図６（ａ）に示す領域Ｒ０Ａ，Ｒ０Ｄのように領域Ｒ０の重複部分Ｒｏｖがあり、領域Ｒ０Ａ（第一の領域とする。）の優先度が領域Ｒ０Ｄ（第二の領域とする。）の優先度よりも高く設定されている場合、重複部分Ｒｏｖについては第一の領域Ｒ０Ａと同じ第一の出力特性が示されるようにＬＵＴ２００が生成される。すなわち、第一の領域Ｒ０Ａについて第一の出力特性を示す第一のＬＵＴと、第二の領域Ｒ０Ｄについて第二の出力特性を示す第二のＬＵＴと、を少なくとも合成するとき、得られるＬＵＴ￥２００は、重複部分Ｒｏｖを含む領域Ｒ０Ａについて第一の出力特性が示され、領域Ｒ０Ｄから重複部分Ｒｏｖを除いた領域について第二の出力特性が示される。このようにして、ユーザーが意図する色再現目標が好適に実現される。
【００９０】
Ｓ１１４では、ＨＤＤ１４から元包括ＬＵＴ２１０を取得する。Ｓ１１６では、元包括ＬＵＴ２１０の包括領域Ｒ９のうちＬＵＴ格納領域に分割ＬＵＴ２３０の色材使用量ｄc，ｄm，ｄy，ｄk，ｄlc，ｄlmを格納していない格子点に対して、元包括ＬＵＴ２１０の色材使用量ｄc，ｄm，ｄy，ｄk，ｄlc，ｄlmを格納する。図１８の例では、包括領域Ｒ９から肌色領域及びグレイ領域の色を変換する格子点を除いたＬＵＴ格納領域の格子点に元包括ＬＵＴ２１０の色材使用量ｄc，ｄm，ｄy，ｄk，ｄlc，ｄlmが格納されることになる。
【００９１】
Ｓ１１８では、ＣＭＹＫ色空間の中で領域Ｒ０の境界部分Ｒｂに規定される色材使用量ｄc，ｄm，ｄy，ｄk，ｄlc，ｄlmをスムージングする。Ｓ１１８のスムージング処理は、任意の処理であり、省略可能である。
【００９２】
図１９は、上記スムージング処理を模式的に例示している。分かり易く示すため、横軸にＣＭＹＫ色空間のＣの入力使用量Ｄｃ、すなわち、格子点のＣの座標を示し、縦軸にｃｍｙｋｌｃｌｍ色空間のｃの出力使用量ｄc、すなわち、格子点に格納されるｃの第二の色材ＣＬ２の使用量を示している。むろん、横軸にはＣＭＹＫ色空間のＭ，Ｙ，Ｋの入力使用量Ｄｍ，Ｄｙ，Ｄｋを適用することが可能であり、縦軸にはｃｍｙｋｌｃｌｍ色空間のｍ，ｙ，ｋ，ｌｃ，ｌｍの出力使用量ｄm，ｄy，ｄk，ｄlc，ｄlmを適用することが可能である。図１９の例では、境界部分Ｒｂにおいて、第一の領域Ｒ１内の格子点ＧＲ１における出力使用量ｄcと、第二の領域Ｒ２内の格子点ＧＲ２における出力使用量ｄcと、が滑らかに繋がっていないことが示されている。このような場合、格子点ＧＲ１，ＧＲ２の出力使用量Ｄｃ，ｄcをスムージングして滑らかに繋げると、色再現画像１６０の画質を向上させることができる。
【００９３】
スムージング処理は、例えば、第一の色材ＣＬ１の使用量から対応する第二の色材ＣＬ２の使用量を求める近似の関数ｆ（例えばｄc＝ｆ（Ｄｃ））を最小自乗法等により求め、第二の色材ＣＬ２の使用量を関数ｆの値に置き換える処理とすることができる。スムージング処理は、入力使用量Ｄｃに対する出力使用量ｄc、入力使用量Ｄｍに対する出力使用量ｄm、入力使用量Ｄｙに対する出力使用量ｄy、入力使用量Ｄｋに対する出力使用量ｄk、等と色別に行ってもよい。また、関数ｆを使用せず、第一の色材ＣＬ１の使用量（例えばＤｃ）の変化に対する第二の色材ＣＬ２の使用量（例えばｄc）の変化が極力変動しないように境界部分Ｒｂの第二の色材ＣＬ２の使用量（例えばｄc）を変える処理を行ってもよい。
領域Ｒ０の境界部分Ｒｂに規定される第二の色材ＣＬ２の使用量がスムージングされると、ユーザーが意図する色再現目標が好適に実現される。
【００９４】
なお、スムージング処理は、ＬＵＴ２００に設けられる領域Ｒ０の全てについての境界部分Ｒｂに行わなくてもよく、例えば、第一の領域Ｒ１の境界部分のみ行ってもよいし、第二の領域Ｒ２の境界部分のみ行ってもよい。
【００９５】
ＬＵＴ格納領域の全格子点に第二の色材ＣＬ２の使用量ｄc，ｄm，ｄy，ｄk，ｄlc，ｄlmが格納されると、ＬＵＴ２００が生成されたことになる。コンピューター１０は、ＲＡＭ１２に格納されているＬＵＴ２００をＨＤＤ１４に保存し（Ｓ１２０）、ＬＵＴ生成処理を終了させる。
【００９６】
なお、上述した処理は、順番を入れ替える等、適宜、変更可能である。例えば、ＬＵＴ格納領域に元包括ＬＵＴ２１０の色材使用量ｄc，ｄm，ｄy，ｄk，ｄlc，ｄlmの全てを格納した後、選択された分割ＬＵＴ２３０の中から最も優先度の低い分割ＬＵＴ２３０の領域Ｒ０の色を変換する格子点の出力使用量を該最も優先度の低い分割ＬＵＴ２３０の出力使用量に置き換え、その後、優先度の低い順に分割ＬＵＴ２３０の領域Ｒ０の色を変換する格子点の出力使用量を該分割ＬＵＴ２３０の出力使用量に置き換えてもよい。このようにしても、重複部分Ｒｏｖについては優先度の高い分割ＬＵＴ２３０と同じ出力特性が示される。
【００９７】
上述した具体例に従って生成したＬＵＴ２００は、図３に示すように、ＣＭＹＫ色空間に含まれる肌色領域（第一の領域Ｒ１）について「見た目重視」（第一の出力特性）を示すように対応関係が規定され、ＣＭＹＫ色空間に含まれ肌色領域とは異なるグレイ領域（第二の領域Ｒ２）について「見た目重視」とは異なる「色差重視」（第二の出力特性）を示すように対応関係が規定されている。肌色領域（Ｒ１）の色を変換する格子点の出力使用量ｄc，ｄm，ｄy，ｄk，ｄlc，ｄlmは、図５に示す「見た目重視」の分割ＬＵＴ２３１（第一のＬＵＴ２４１）に規定された出力使用量そのもの等、分割ＬＵＴ２３１に規定された出力使用量に基づく。グレイ領域（Ｒ２）の色を変換する格子点の出力使用量ｄc，ｄm，ｄy，ｄk，ｄlc，ｄlmは、図５に示す「色差重視」の分割ＬＵＴ２３２（第二のＬＵＴ２４２）に規定された出力使用量そのもの等、分割ＬＵＴ２３２に規定された出力使用量に基づく。なお、重複部分Ｒｏｖがある場合には、重複部分Ｒｏｖの格子点の出力使用量ｄc，ｄm，ｄy，ｄk，ｄlc，ｄlmは、優先度の高い例えば第一のＬＵＴ２４１に規定された出力使用量に基づく。
【００９８】
肌色領域（Ｒ１）についての「見た目重視」分割ＬＵＴ２３１は、１：１のＦ１０，Ｆ２光源下で印刷画像３６０の色彩値と色再現画像１６０の色彩値との色差ΔＥF10-F2が正の閾値ＴＨ１以下（第一の範囲内）となる第一の出力特性を有する。グレイ領域（Ｒ２）についての「色差重視」分割ＬＵＴ２３２は、Ｄ５０光源下で両画像３６０，１６０の色彩値の色差ΔＥD50が正の閾値ＴＨ２以下（第二の範囲内）となる第二の出力特性を有する。閾値ＴＨ１，ＴＨ２は、特に限定されないが、例えば１．０〜２．０程度とすることができ、異なる値でもよい。なお、第一の範囲内にはΔＥF10-F2＜ＴＨ１とすることも含まれ、第二の範囲内にはΔＥD50＜ＴＨ２とすることも含まれる。
肌色領域（Ｒ１）では、各格子点Ｇ２，Ｇ３についてΔＥF10-F2≦ＴＨ１であることを重視した結果、ΔＥD50＞ＴＨ２（第二の範囲外）となる格子点が存在する。ただし、ΔＥD50≦ＴＨ２（第二の範囲内）となる格子点が一部に存在してもよい。グレイ領域（Ｒ２）では、各格子点Ｇ２，Ｇ３についてΔＥD50≦ＴＨ２であることを重視した結果、ΔＥF10-F2＞ＴＨ１（第一の範囲内）となる格子点が存在する。ただし、ΔＥF10-F2≦ＴＨ１（第一の範囲内）となる格子点が一部に存在してもよい。
【００９９】
以上のことから、図３に示すように、ＬＵＴ２００に含まれる肌色領域（Ｒ１）の出力使用量ｄc，ｄm，ｄy，ｄk，ｄlc，ｄlmは、第一の出力特性を表すΔＥF10-F2≦ＴＨ１（第一の範囲内）となるように設定され、少なくとも一部がΔＥD50＞ＴＨ２（第二の範囲外）となるように設定される。ＬＵＴ２００に含まれるグレイ領域（Ｒ２）の出力使用量ｄc，ｄm，ｄy，ｄk，ｄlc，ｄlmは、第二の出力特性を表すΔＥD50≦ＴＨ２（第二の範囲内）となるように設定され、少なくとも一部がΔＥF10-F2＞ＴＨ１（第一の範囲外）となるように設定される。
【０１００】
以上説明したように、一つのＬＵＴ２００に、例えば、ＣＭＹＫ色空間内の肌色領域（Ｒ１）については「見た目重視」の出力特性を示すように対応関係が規定され、ＣＭＹＫ色空間内のグレイ領域（Ｒ２）については「色差重視」の出力特性を示すように対応関係が規定される。従って、印刷本機３００のＣＭＹＫの色材ＣＬ１に合わせた色材使用量Ｄｃ，Ｄｍ，Ｄｙ，Ｄｋとプルーフ機１００のｃｍｙｋｌｃｌｍの色材ＣＬ２に合わせた色材使用量ｄc，ｄm，ｄy，ｄk，ｄlc，ｄlmとの対応関係を規定した一つのＬＵＴ２００でＣＭＹＫ色空間の領域Ｒ０毎にユーザーが意図する色再現目標が実現される。
【０１０１】
なお、出力特性は、領域Ｒ０内の全体的な出力の傾向を意味する。このため、分割ＬＵＴ２３０及びＬＵＴ２００に含まれる肌色領域（Ｒ１）内の複数箇所の色における印刷画像３６０と色再現画像１６０の色差ΔＥF10-F2の相加平均といった平均が正の閾値ＴＨ１’以下（第一の範囲内）となるように設定され、両画像３６０，１６０の色差ΔＥD50の平均が正の閾値ＴＨ２’よりも大（第二の範囲外）となるように設定されてもよい。また、分割ＬＵＴ２３０及びＬＵＴ２００に含まれるグレイ領域（Ｒ２）内の複数箇所の色における両画像３６０，１６０の色差ΔＥD50の相加平均といった平均が閾値ＴＨ２’以下（第二の範囲内）となるように設定され、両画像３６０，１６０の色差ΔＥF10-F2の平均が閾値ＴＨ１’よりも大（第一の範囲外）となるように設定されてもよい。
【０１０２】
（４−４）色再現画像を形成する例：
図１３は、上記ＬＵＴ２００を記憶したプルーフ機（画像形成装置）１００で行われる色再現画像出力制御処理を例示している。この処理は、例えば、色再現画像１６０の形成要求をプルーフ機１００が受け付けたときに開始する。
処理が開始すると、プルーフ機１００は、印刷本機３００で印刷物３５０の形成に使用されるＣＭＹＫの色材ＣＬ１の使用量Ｄｃ，Ｄｍ，Ｄｙ，Ｄｋに対応した入力データを取得する（Ｓ３０２）。必要に応じて、Ｓ３０４では、色変換処理に使用するＬＵＴ２００を選択する。
【０１０３】
Ｓ３０６では、ＬＵＴ２００を参照して、ＣＭＹＫの色材使用量Ｄｃ，Ｄｍ，Ｄｙ，Ｄｋのデータを、プルーフ機１００で色再現画像１６０の形成に使用されるＣＭＹＬｌｃｌｍの色材ＣＬ２の使用量ｄc，ｄm，ｄy，ｄk，ｄlc，ｄlmのデータに変換する。色材使用量Ｄｃ，Ｄｍ，Ｄｙ，Ｄｋに一致するＬＵＴ２００の入力点が無い場合には、ＣＭＹＫ色空間において色材使用量Ｄｃ，Ｄｍ，Ｄｙ，Ｄｋに近隣する複数の入力点のそれぞれに対応したＣＭＹＬｌｃｌｍの色材使用量ｄc，ｄm，ｄy，ｄk，ｄlc，ｄlmを用いてＤｃ，Ｄｍ，Ｄｙ，Ｄｋに対応するｄc，ｄm，ｄy，ｄk，ｄlc，ｄlmを補間すればよい。このようにして、ＬＵＴ２００に従ってＣＭＹＫの色材使用量Ｄｃ，Ｄｍ，Ｄｙ，ＤｋをＣＭＹＬｌｃｌｍの色材使用量ｄc，ｄm，ｄy，ｄk，ｄlc，ｄlmに変換することができる。
【０１０４】
Ｓ３０８では、色材使用量ｄc，ｄm，ｄy，ｄk，ｄlc，ｄlmのデータに対してハーフトーン処理を行い、使用量ｄc，ｄm，ｄy，ｄk，ｄlc，ｄlmに対応したドットの形成状況を表す多値データを生成する。ハーフトーン処理には、ディザ法、誤差拡散法、濃度パターン法、等を用いることができる。Ｓ３１０では、得られたドットの形成状況を表す多値データを記録ヘッド２１の各走査パス及び各ノズル２１ａに割り振って出力制御データを生成する。記録ヘッド２１は、前記出力制御データに従って被印刷物Ｍ２にインクドットを形成し、色再現画像１６０を有するプルーフ１５０を形成する。
【０１０５】
ここで、印刷画像３６０を１：１のＦ１０，Ｆ２光源下で測色機により測色して得られる色彩値をＬD1，ａD1，ｂD1とし、色再現画像１６０を１：１のＦ１０，Ｆ２光源下で測色機により測色して得られる色彩値をＬd1，ａd1，ｂd1とする。両画像３６０，１６０の第一の領域Ｒ１（例えば肌色領域）については、ＬD1，ａD1，ｂD1とＬd1，ａd1，ｂd1から求まる色差ΔＥF10-F2がＴＨ１以下（第一の範囲内）となる。両画像３６０，１６０の第二の領域Ｒ２（例えばグレイ領域）については、色差ΔＥF10-F2の少なくとも一部がＴＨ１よりも大（第一の範囲外）となることがある。
また、印刷画像３６０をＤ５０光源下で測色機により測色して得られる色彩値をＬD2，ａD2，ｂD2とし、色再現画像１６０をＤ５０光源下で測色機により測色して得られる色彩値をＬd2，ａd2，ｂd2とする。両画像３６０，１６０の第二の領域Ｒ２（例えばグレイ領域）については、ＬD2，ａD2，ｂD2とＬd2，ａd2，ｂd2から求まる色差ΔＥD50がＴＨ２以下（第二の範囲内）となる。両画像３６０，１６０の第一の領域Ｒ１（例えば肌色領域）については、色差ΔＥD50の少なくとも一部がＴＨ２よりも大（第二の範囲外）となることがある。
【０１０６】
以上説明したように、一つのＬＵＴ２００に、入力色空間内の第一の領域Ｒ１については第一の出力特性を示すように対応関係が規定され、入力色空間内の第二の領域Ｒ２については第一の出力特性とは異なる第二の出力特性を示すように対応関係が規定される。従って、本技術は、印刷本機３００の色材ＣＬ１に合わせた色材使用量とプルーフ機１００の色材ＣＬ２に合わせた色材使用量との対応関係を規定した一つのＬＵＴ２００で入力色空間の領域Ｒ０毎にユーザーが意図する色再現目標を実現することができる。
【０１０７】
（４−５）出力特性が色再現画像の粒状性を表す粒状性指標値ＩＮ１で表される例：
入力色空間に含まれる領域について示される出力特性は、上述してきた色差ΔＥで表される以外にも、粒状性指標値ＩＮ１や階調性指標値ＩＮ２等でも表される。
粒状性指標値ＩＮ１は、小さくなるほど色再現画像１６０の粒状感が弱くなる指標値である。写真画像等では一般に粒状感が弱くなるように色変換をすると画質を向上させることができる。一方、グラフ画像等では鮮やかな色を出すため色変換としては粒状感が強くなる方向にすると画質が向上する可能性がある。
【０１０８】
図２０は、色再現画像１６０の粒状性を変える様子を模式的に例示している。
色再現画像１６０の粒状性を変えるための分割ＬＵＴは、例えば、上述した分割ＬＵＴ２３０の出力使用量ｄc，ｄm，ｄy，ｄk，ｄlc，ｄlmを変えることにより生成することができる。図２０に示す例は、分かり易く示すため、ｋの１ドットがｃの１ドットとｍの１ドットとｙの１ドットの組合せに等価である場合にｋの使用量ｄkの少なくとも一部とｃｍｙの使用量の少なくとも一部とを置き換える様子を示している。ｋの使用量ｄkの少なくとも一部Δｄをｃｍｙの使用量に置き換えると、粒状性指標値ＩＮ１の小さい、すなわち、比較的明度の低いｋのドットが少ないか無くて比較的明度の高いｃｍｙのドットが多い粒状感の小さい色再現画像１６０が形成される分割ＬＵＴ２３３を生成することができる。各領域Ｒ０について生成される分割ＬＵＴ２３３は、図５に示す「低粒状感重視」の分割ＬＵＴである。また、ｃｍｙの使用量ｄc，ｄm，ｄyの少なくとも一部Δｄをｋの使用量に置き換えると、粒状性指標値ＩＮ１の大きい、すなわち、比較的明度の高いｃｍｙのドットが少ないか無くて比較的明度の低いｋのドットが多い粒状感の大きい色再現画像１６０が形成される分割ＬＵＴ２３４を生成することができる。
【０１０９】
色再現画像１６０の粒状感を変えるためには、ｃの１ドットとｌｃの２以上のドットとを置き換えたり、ｍの１ドットとｌｍの２以上のドットとを置き換えたりしてもよい。ｃの使用量ｄcの少なくとも一部Δｄをｌｃの使用量に置き換えたりｍの使用量ｄmの少なくとも一部Δｄをｌｍの使用量に置き換えたりすると、粒状性指標値ＩＮ１の小さい、すなわち、比較的明度の低いｃｍのドットが少ないか無くて比較的明度の高いｌｃｌｍのドットが多い粒状感の小さい色再現画像１６０が形成される「低粒状感重視」の分割ＬＵＴ２３３を生成することができる。
また、粒状性指標値ＩＮ１に基づいて分割ＬＵＴ２３３，２３４を生成してもよい。
【０１１０】
色再現画像１６０の粒状性を定量化する粒状性指標値ＩＮ１は、例えば、以下の式で表すことができる。
【数７】
2015115737.tif 000009
ここで、ａLは明度補正項、ＷＳ（ｕ）は画像のウイナースペクトラム、ＶＴＦは視覚の空間周波数特性、ｕは空間周波数、である。粒状性指標値ＩＮ１の思想は、例えば、Makoto Fujino,Image Quality Evaluation of Inkjet Prints, Japan Hardcopy '99, p.291-294に示されている。なお、（７）式は一次元で示しているが、空間周波数ｕ，ｖの関数として二次元画像の空間周波数を算出することは容易である。
【０１１１】
粒状性指標値ＩＮ１は、ある色再現画像を観察者が視認したときに、その観察者が感じる粒状感（あるいはノイズの程度）である。ＩＮ１が小さい程、観察者が感じる粒状感は小さくなる。むろん、ＩＮ１は、色再現画像を形成したときの粒状性を評価する指標値であればよく、他の式を用いることも可能である。粒状性指標値ＩＮ１を求める詳細は、例えば、特表2007-516663号公報に示されている。
【０１１２】
粒状性指標値ＩＮ１は、例えば、図１３のＳ３０８のハーフトーン処理により得られる色再現画像１６０形成用の多値データ、すなわち、色材使用量ｄc，ｄm，ｄy，ｄk，ｄlc，ｄlmに対応したドットの形成状況を表す多値データに基づいて算出することができる。この多値データがあれば、実際に色再現画像１６０を被印刷物Ｍ２に形成しなくてもドットの形成状況をシミュレートすることによってＩＮ１を求めることができる。従って、分割ＬＵＴ２３０を構成する各格子点Ｇ２，Ｇ３に対応付けられた出力使用量ｄc，ｄm，ｄy，ｄk，ｄlc，ｄlmのベタの画像（巨視的に一様な画像）に対して前記のハーフトーン処理を行って得られる多値データからＩＮ１を求めると、各格子点Ｇ２，Ｇ３に粒状性指標値ＩＮ１を対応付けることができる。むろん、被印刷物Ｍ２に形成された色再現画像１６０をスキャナーといった画像読み取り装置等で読み取り、該読み取った情報に基づいて色再現画像１６０形成用の多値データを取得し、この多値データに基づいてＩＮ１を算出してもよい。
【０１１３】
図２１は、粒状性指標値ＩＮ１を算出する様子を模式的に例示している。まず、色再現画像１６０形成用の多値データに基づいて、色再現画像１６０の各画素について明度Ｌ（ｘ，ｙ）を求める。座標（ｘ，ｙ）にドットが形成されない場合には、被印刷物Ｍ２自体の明度がＬ（ｘ，ｙ）となる。座標（ｘ，ｙ）にドットが形成される場合、画素に対するドットの面積比と、ドットの部分の明度と、被印刷物Ｍ２に自体の明度と、に基づいて（例えば明度の比例配分）、明度Ｌ（ｘ，ｙ）を算出する。図２１の左端に示すような明度Ｌ（ｘ，ｙ）が求まると、明度Ｌ（ｘ，ｙ）に対してＦＦＴ（Fast Fourier Transformation）を実施し、空間周波数のスペクトルＳ（ｕ，ｖ）を得る。スペクトルＳ（ｕ，ｖ）は実部Ｒｅ（ｕ，ｖ）と虚部Ｉｍ（ｕ，ｖ）とからなり、Ｓ（ｕ，ｖ）＝Ｒｅ（ｕ，ｖ）＋ｊＩｍ（ｕ，ｖ）である。このスペクトルＳ（ｕ，ｖ）は、上述のウイナースペクトラムに相当する。
【０１１４】
次に、座標（ｕ，ｖ）に対応した空間周波数（cycle/mm）の大きさｆ（ｕ，ｖ）を算出するため、シミュレート対象となっている色再現画像１６０の最低周波数を算出する。この最低周波数は、シミュレート対象の多値データで形成される色再現画像１６０において１回振動する周波数であり、主走査方向（Ｘ方向）と副走査方向（Ｙ方向）とのそれぞれについて定義される。例えば、１インチを２５．４mmとして、主走査方向の最低周波数ｅuはＸ解像度／（Ｘ方向の画素数×２５．４）、副走査方向の最低周波数ｅvはＹ解像度／（Ｙ方向の画素数×２５．４）と定義される。任意の座標（ｕ，ｖ）における空間周波数の大きさｆ（ｕ，ｖ）は、｛（ｅu・ｕ）2＋（ｅv・ｖ）2｝1/2として算出可能である。
【０１１５】
一方、人間の目は、空間周波数の大きさｆ（ｕ，ｖ）に応じて明度に対する感度が異なる。当該視覚の空間周波数特性は、例えば、図２１の中央下部に示すＶＴＦ（ｆ）のような特性を示す。このＶＴＦ（ｆ）は、ＶＴＦ（ｆ）＝5.05×exp（−0.138・ｄ・π・ｆ／１８０）×｛１−exp（−0.1・ｄ・π・ｆ／１８０）｝である。ここで、ｄは色再現画像と目の距離であり、ｆは空間周波数の大きさｆである。このｆは（ｕ，ｖ）の関数として表現されているので、視覚の空間周波数特性ＶＴＦは（ｕ，ｖ）の関数ＶＴＦ（ｕ，ｖ）とすることができる。ＶＴＦが得られたら、当該ＶＴＦの２乗とスペクトルＳ（ｕ，ｖ）の２乗とを乗じ、全画素（ｕ，ｖ）について積分を行う。得られる積分値（Ｐｏｗとする。）の平方根を全画素数で除して規格化すると、元の多値データの画素数に依存しない客観的な指数（Ｉｎｔとする。）が算出される。
Ｉｎｔ＝Ｐｏｗ1/2／全画素数
なお、多値データの画素数を常に同じ画素数として粒状性を評価するのであれば、必ずしも規格化しなくてもよい。
【０１１６】
粒状性指標値ＩＮ１は、色再現画像１６０全体の明度による影響を考慮してもよい。空間周波数のスペクトルが同じであっても色再現画像全体が明るい場合と暗い場合とでは人間の目に異なった印象を与えるので、全体が明るい方が粒状性を感じやすいものとして補正を行ってもよい。このため、例えば、色再現画像１６０の全画素の明度の平均（Ａｖｅとする。）を算出し、色再現画像全体の明るさによる補正係数ａ（Ｌ）＝｛（Ａｖｅ＋１６）／１１６｝0.8を上記Ｉｎｔに乗じて粒状性指標値ＩＮ１としてもよい。
ＩＮ１＝ａ（Ｌ）・Ｉｎｔ
補正係数ａ（Ｌ）は、上述の明度補正項ａLに相当する。
【０１１７】
以上のことから、図１８で示した設定画面５００において、「肌色領域」（第一の領域Ｒ１）について「低粒状感重視」を選択し、「グレイ領域」（第二の領域Ｒ２）について「低粒状感重視」以外の出力特性（例えば「色差重視」）を選択してもよい。例えば、肌色領域（Ｒ１）についての「低粒状感重視」分割ＬＵＴ２３３は、肌色領域（Ｒ１）内の色から形成される色再現画像１６０の粒状性指標値ＩＮ１が正の閾値ＴＨ３以下（第三の範囲内）となる第一の出力特性を有するものとする。また、グレイ領域（Ｒ２）についての「色差重視」分割ＬＵＴ２３２は、粒状性を重視してない結果、グレイ領域（Ｒ２）内の色から形成される色再現画像１６０の粒状性指標値ＩＮ１が閾値ＴＨ３よりも大（第三の範囲外）となることがある第二の出力特性を有するものとする。なお、第三の範囲内にはＩＮ１＜ＴＨ３とすることも含まれる。
【０１１８】
図２，３を参照して説明すると、ＬＵＴ２００に含まれる肌色領域（Ｒ１）の出力使用量ｄc，ｄm，ｄy，ｄk，ｄlc，ｄlmは、ＩＮ１≦ＴＨ３（第三の範囲内）となる第一の出力特性を示すように設定される。ＬＵＴ２００に含まれるグレイ領域（Ｒ２）の出力使用量ｄc，ｄm，ｄy，ｄk，ｄlc，ｄlmは、少なくとも一部がＩＮ１＞ＴＨ３（第三の範囲外）となる第二の出力特性を示すように設定される。これらのことから、一つのＬＵＴ２００に、肌色領域（Ｒ１）について「低粒状感重視」という第一の出力特性を示すように対応関係が規定され、グレイ領域（Ｒ２）について例えば「色差重視」という第二の出力特性を示すように対応関係が規定される。
【０１１９】
ここで、ＣＭＹＫ色空間に含まれる肌色領域（Ｒ１）からＬＵＴ２００に従って変換された色再現画像１６０の粒状性指標値ＩＮ１は、ＴＨ３以下（第三の範囲内）となる。また、ＣＭＹＫ色空間に含まれるグレイ領域（Ｒ２）からＬＵＴ２００に従って変換された色再現画像１６０の粒状性指標値ＩＮ１は、ＴＨ３よりも大（第三の範囲外）となることがある。
なお、第一の色材ＣＬ１の使用量（例えばＤｃ，Ｄｍ，Ｄｙ，Ｄｋ）を徐々に増加又は減少させたグラデーションを有する色再現画像１６０を形成したとき、色再現画像１６０の中である濃度範囲内の領域の粒状性指標値ＩＮ１がＴＨ３以下となり、別の濃度範囲内の領域で粒状性指標値ＩＮ１がＴＨ３よりも大きくなれば、「低粒状感重視」の出力特性を示す領域と「低粒状感重視」以外の出力特性を示す別の領域とが一つのＬＵＴ２００に存在することになる。
【０１２０】
以上説明したように、一つのＬＵＴ２００に、入力色空間内の第一の領域Ｒ１については粒状性指標値ＩＮ１が第三の範囲内となるように対応関係が規定され、入力色空間内の第二の領域Ｒ２については「低粒状感重視」とは異なる第二の出力特性を示すように対応関係が規定される。従って、本技術は、印刷本機３００の色材ＣＬ１に合わせた色材使用量とプルーフ機１００の色材ＣＬ２に合わせた色材使用量との対応関係を規定した一つのＬＵＴ２００で入力色空間の領域Ｒ０毎にユーザーが意図する粒状性の色再現目標を実現することができる。
【０１２１】
（４−６）出力特性が色再現画像の階調性を表す階調性指標値ＩＮ２で表される例：
階調性指標値ＩＮ２は、小さくなるほど色再現画像１６０の階調変化が滑らかになる指標値である。写真画像等では一般に階調変化が滑らかになるように色変換をすると画質を向上させることができる。一方、グラフ画像等では鮮やかな色を出すため色変換としては階調変化が粗くなる方向にすると画質が向上する可能性がある。
【０１２２】
図２２は、色再現画像１６０の階調性を変える様子を模式的に例示している。
色再現画像１６０の階調性を変えるための分割ＬＵＴは、例えば、上述した分割ＬＵＴ２３０の出力使用量ｄc，ｄm，ｄy，ｄk，ｄlc，ｄlmを変えることにより生成することができる。図２２に示す例は、分かり易く示すため、横軸にＣＭＹＫ色空間のＣの入力使用量Ｄｃ、すなわち、格子点のＣの座標を示し、縦軸にｃｍｙｋｌｃｌｍ色空間のｃの出力使用量ｄc、すなわち、格子点に格納されるｃの第二の色材ＣＬ２の使用量を示している。むろん、横軸にはＣＭＹＫ色空間のＭ，Ｙ，Ｋの入力使用量Ｄｍ，Ｄｙ，Ｄｋを適用することが可能であり、縦軸にはｃｍｙｋｌｃｌｍ色空間のｍ，ｙ，ｋ，ｌｃ，ｌｍの出力使用量ｄm，ｄy，ｄk，ｄlc，ｄlmを適用することが可能である。図２２中、分割ＬＵＴ２３５，２３６に示される白丸は、元の分割ＬＵＴ２３０における出力使用量ｄcを示している。図２２の例では、Ｄｃ軸に等間隔に入力使用量変数Ｄi（ｉは１からｎまでの整数、ｎは３以上の整数）を設け、Ｄiに対応する出力使用量関数ｄc（Ｄi）を示している。
【０１２３】
階調変化が滑らかであることは、出力使用量関数ｄc（Ｄi）の微小変化Δｄc（Ｄi）＝｛ｄc（Ｄi+1）−ｄc（Ｄi）｝／ΔＤの変動が小さいことを意味する。また、階調変化が粗いことは、微小変化Δｄc（Ｄi）の変動が大きいことを意味する。そこで、階調性指標値ＩＮ２は、微小変化Δｄc（Ｄi）の微小変化ΔΔｄc（Ｄi）＝｛Δｄc（Ｄi+1）−Δｄc（Ｄi）｝／ΔＤの絶対値の平均と定義してもよい。
ＩＮ２＝Σ｛｜ΔΔｄc（Ｄi）｜｝／（ｎ−２）
ただし、Σはｉ＝１からｉ＝ｎ−２までの｛｜ΔΔｄc（Ｄi）｜｝の総和を意味する。
【０１２４】
得られる階調性指標値ＩＮ２は、小さくなるほど階調変化が滑らかになることを意味し、大きくなるほど階調変化が粗くなることを意味する。従って、第一の色材ＣＬ１の使用量（例えばＤｃ）の変化に対する第二の色材ＣＬ２の使用量（例えばｄc）の変化が極力変動しないように第二の色材ＣＬ２の使用量（例えばｄc）を変えると、階調性指標値ＩＮ２の小さい、すなわち、階調変化が滑らかな色再現画像１６０が形成される分割ＬＵＴ２３５を生成することができる。各領域Ｒ０について生成される分割ＬＵＴ２３５は、図５に示す「階調性重視」の分割ＬＵＴである。また、第一の色材ＣＬ１の使用量（例えばＤｃ）の変化に対する第二の色材ＣＬ２の使用量（例えばｄc）の変化がより変動するように第二の色材ＣＬ２の使用量（例えばｄc）を変えると、階調性指標値ＩＮ２の大きい、すなわち、階調変化が粗い色再現画像１６０が形成される分割ＬＵＴ２３６を生成することができる。
また、階調性指標値ＩＮ２に基づいて分割ＬＵＴ２３５，２３６を生成してもよい。
【０１２５】
以上のことから、図１８で示した設定画面５００において、「肌色領域」（第一の領域Ｒ１）について「階調性重視」を選択し、「グレイ領域」（第二の領域Ｒ２）について「階調性重視」以外の出力特性（例えば「色差重視」）を選択してもよい。例えば、肌色領域（Ｒ１）についての「階調性重視」分割ＬＵＴ２３５は、肌色領域（Ｒ１）内の色から形成される色再現画像１６０の階調性指標値ＩＮ２が正の閾値ＴＨ４以下（第四の範囲内）となる第一の出力特性を有するものとする。また、グレイ領域（Ｒ２）についての「色差重視」分割ＬＵＴ２３２は、階調性を重視してない結果、グレイ領域（Ｒ２）内の色から形成される色再現画像１６０の階調性指標値ＩＮ２が閾値ＴＨ４よりも大（第四の範囲外）となることがある第二の出力特性を有するものとする。なお、第四の範囲内にはＩＮ２＜ＴＨ４とすることも含まれる。
【０１２６】
図２，３を参照して説明すると、ＬＵＴ２００に含まれる肌色領域（Ｒ１）の出力使用量ｄc，ｄm，ｄy，ｄk，ｄlc，ｄlmは、ＩＮ２≦ＴＨ４（第四の範囲内）となる第一の出力特性を示すように設定される。ＬＵＴ２００に含まれるグレイ領域（Ｒ２）の出力使用量ｄc，ｄm，ｄy，ｄk，ｄlc，ｄlmは、少なくとも一部がＩＮ２＞ＴＨ４（第四の範囲外）となる第二の出力特性を示すように設定される。これらのことから、一つのＬＵＴ２００に、肌色領域（Ｒ１）について「階調性重視」という第一の出力特性を示すように対応関係が規定され、グレイ領域（Ｒ２）について例えば「色差重視」という第二の出力特性を示すように対応関係が規定される。
【０１２７】
ここで、ＣＭＹＫ色空間に含まれる肌色領域（Ｒ１）からＬＵＴ２００に従って変換された色再現画像１６０の階調性指標値ＩＮ２は、ＴＨ４以下（第四の範囲内）となる。また、ＣＭＹＫ色空間に含まれるグレイ領域（Ｒ２）からＬＵＴ２００に従って変換された色再現画像１６０の階調性指標値ＩＮ２は、ＴＨ４よりも大（第四の範囲外）となることがある。
なお、第一の色材ＣＬ１の使用量（例えばＤｃ，Ｄｍ，Ｄｙ，Ｄｋ）を徐々に増加又は減少させたグラデーションを有する色再現画像１６０を形成したとき、色再現画像１６０の中である濃度範囲内の領域の階調性指標値ＩＮ２がＴＨ４以下となり、別の濃度範囲内の領域で階調性指標値ＩＮ２がＴＨ４よりも大きくなれば、「階調性重視」の出力特性を示す領域と「階調性重視」以外の出力特性を示す別の領域とが一つのＬＵＴ２００に存在することになる。
【０１２８】
以上説明したように、一つのＬＵＴ２００に、入力色空間内の第一の領域Ｒ１については階調性指標値ＩＮ２が第四の範囲内となるように対応関係が規定され、入力色空間内の第二の領域Ｒ２については「階調性重視」とは異なる第二の出力特性を示すように対応関係が規定される。従って、本技術は、印刷本機３００の色材ＣＬ１に合わせた色材使用量とプルーフ機１００の色材ＣＬ２に合わせた色材使用量との対応関係を規定した一つのＬＵＴ２００で入力色空間の領域Ｒ０毎にユーザーが意図する階調性の色再現目標を実現することができる。
【０１２９】
（４−７）インクセーブの出力特性の例：
インクセーブの出力特性を示す分割ＬＵＴは、例えば、入力色空間内の領域Ｒ０について出力使用量ｄc，ｄm，ｄy，ｄk，ｄlc，ｄlmの総和が少なくなるように上述の分割ＬＵＴ２３０の出力使用量ｄc，ｄm，ｄy，ｄk，ｄlc，ｄlmを変えることにより生成することができる。図２０を参照して説明すると、例えば、ｃｍｙの使用量ｄc，ｄm，ｄyの最小値をΔｄとして使用量ｄc，ｄm，ｄyのΔｄをｋの使用量に置き換えると、領域Ｒ０についてインクセーブの出力特性を示す分割ＬＵＴを生成することができる。また、ｌｃの使用量ｄlcを全てｃの使用量ｄcに置き換えたりｌｍの使用量ｄlmを全てｍの使用量ｄmに置き換えたりしてもよい。
【０１３０】
（５）変形例：
本発明は、種々の変形例が考えられる。
例えば、ＬＵＴ２００を記憶しているコンピューターにプリンターといった記録装置が接続され、前記ＬＵＴ２００に従って第一の色材の使用量から第二の色材の使用量を求め、求めた第二の色材の使用量となるように記録装置で色再現画像を形成する場合、コンピューターと記録装置が画像形成装置を構成する。画像形成装置は、記録装置以外にも、ディスプレイといった画像出力装置等が含まれる。色再現画像には、画像出力装置の画面上の画像が含まれる。
【０１３１】
印刷機で印刷物の形成に使用される第一の色材は、ＣＭＹＫの組合せ以外にも、５色の組合せ、３色の組合せ、等でもよい。画像形成装置で色再現画像の形成に使用される第二の色材は、ＣＭＹＫｌｃｌｍの組合せ以外にも、７色以上の組合せでもよいし、５色以下の組合せでもよい。第二の色材として使用可能な色材の色には、ｃｍｙｋｌｃｌｍ以外にも、ｏｒ（オレンジ）、ｇｒ（グリーン）、ｂ（ブルー）、ｖ（バイオレット）、ｄｙ（ダークイエロー）、ｌｋ（ライトブラック）、ｌｌｋ（ライトライトブラック）、無着色、等が含まれる。無着色の色材には、被印刷物に光沢を付与する色材、有色の色材を保護する色材、等が含まれる。
第一の色材に含まれる第三の色材と第四の色材の組合せは、ＫとＣＭＹの組合せ以外にも、Ｋの濃淡の組合せ、Ｃの濃淡の組合せ、Ｍの濃淡の組合せ、Ｙの濃淡の組合せ、等でもよい。
【０１３２】
分割ＬＵＴ群２２０は、図５に示すように対象領域が同じで出力特性の異なる複数の分割ＬＵＴ２３０があると好適であるものの、一つの対象領域に一つの出力特性だけ組み合わされた分割ＬＵＴの集まりでもよい。この場合、図１８で示した設定画面５００の領域選択欄５２１，５２２，…で領域が選択されると対応付けられる出力特性が一意的に決まるので、設定画面５００から出力特性選択欄５３１，５３２，…を無くしてもよい。
【０１３３】
（６）結び：
以上説明したように、本発明によると、種々の態様により、印刷機の色材に合わせた色材使用量と画像形成装置の色材に合わせた色材使用量との対応関係を規定した一つのルックアップテーブルで入力色空間の領域毎にユーザーが意図する色再現目標を実現することが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【０１３４】
１０…コンピューター（色変換装置）、１００…プルーフ機（画像形成装置）、１５０…プルーフ、１６０…色再現画像、２００…ルックアップテーブル、２１０…元包括ルックアップテーブル、２２０…分割ＬＵＴ群（ルックアップテーブル群）、２３０〜２３６…分割ＬＵＴ（部分ルックアップテーブル）、２４１…第一のルックアップテーブル、２４２…第二のルックアップテーブル、３００…印刷本機（印刷機）、３５０，３５１…印刷物、３６０…印刷画像、３６１…チャート、３６２…パッチ、５００…設定画面、８００…測色機、ＣＬ１…第一の色材、ＣＬ２…第二の色材、ＣＬ３…第三の色材、ＣＬ４…第四の色材、Ｇ１，Ｇ２，Ｇ３…格子点、Ｌ０，Ｌ１，Ｌ２，Ｌ３…観察光源、Ｍ１，Ｍ２…被印刷物、ＰＲ０〜ＰＲ３…印刷色プロファイル、Ｒ０，Ｒ０Ａ〜Ｒ０Ｆ…領域、Ｒ１…第一の領域、Ｒ２…第二の領域、Ｒ９…包括領域、Ｒ１ｇ，Ｒ２ｇ…領域の色の変換に用いる格子点の範囲、Ｒｂ…境界部分、Ｒｏｖ…重複部分、ＳＹ１…プルーフシステム。
【図１】
2015115737.tif 000010
【図２】
2015115737.tif 000011
【図３】
2015115737.tif 000012
【図４】
2015115737.tif 000013
【図５】
2015115737.tif 000014
【図６】
2015115737.tif 000015
【図７】
2015115737.tif 000016
【図８】
2015115737.tif 000017
【図９】
2015115737.tif 000018
【図１０】
2015115737.tif 000019
【図１１】
2015115737.tif 000020
【図１２】
2015115737.tif 000021
【図１３】
2015115737.tif 000022
【図１４】
2015115737.tif 000023
【図１５】
2015115737.tif 000024
【図１６】
2015115737.tif 000025
【図１７】
2015115737.tif 000026
【図１８】
2015115737.tif 000027
【図１９】
2015115737.tif 000028
【図２０】
2015115737.tif 000029
【図２１】
2015115737.tif 000030
【図２２】
2015115737.tif 000031